(57)【特許請求の範囲】
【請求項１】
飲料分注システムのための方法であって、
三次元グラフィック表示の複数のカップを有する飲料選択状態をタッチ感知式ディスプレイ上に表示する工程を備え、
前記カップは、該カップ上に飲料の選択肢の選択の飲料銘柄ラベルを有するとともに、複数の飲料非選択位置と、飲料選択位置と、を通る順序で移動可能であり、
前記方法は、さらに、
前記三次元グラフィック表示の複数のカップのうちの１つのところでの前記タッチ感知式ディスプレイへのユーザの接触を登録する工程と、
前記ユーザの接触を処理して、前記ユーザの接触が静止的な接触であり、それによって、前記ユーザが前記タッチ感知式ディスプレイを前記三次元グラフィック表示の複数のカップのうちの１つのところでタップするのか、それとも、移動する接触であり、それによって、前記ユーザが、前記タッチ感知式ディスプレイとの接触を維持した状態で、前記飲料非選択位置と前記飲料選択位置との間で前記タッチ感知式ディスプレイを横切るのかを決定する工程と、
移動する接触に応答して、前記複数の飲料非選択位置と、前記飲料選択位置と、の間で前記ユーザの接触の始点と前記ユーザの接触の終点とを決定する工程と、
接触されたカップを前記ユーザの接触の前記始点から前記ユーザの接触の前記終点まで進め、それによって、前記複数の飲料非選択位置と、前記飲料選択位置と、の間で前記接触されたカップを移動させる工程と、
前記ユーザの接触が静止的な接触であり、接触されたカップが前記飲料選択位置のところにある場合に、飲料の選択肢の選択として、該接触されたカップを記憶する工程と
を備える方法。
【請求項２】
請求項１に記載の飲料分注システムのための方法であって、
さらに、前記接触が静止的な接触であり、前記接触されたカップが飲料非選択位置にある場合に、接触されたカップを飲料非選択位置から前記飲料選択位置まで進める工程を備える
方法。
【請求項３】
請求項１に記載の飲料分注システムのための方法であって、
さらに、前記飲料の選択肢の選択に応答して、前記タッチ感知式ディスプレイ上での前記飲料選択状態の前記表示を中止する工程と、
三次元グラフィック表示の前記接触されたカップを有する注出状態を前記タッチ感知式ディスプレイ上に表示する工程と
を備え、
前記接触されたカップは、該接触されたカップ上に前記飲料の選択肢の選択の前記飲料銘柄ラベルと、注出ボタンのためのグラフィック表示と、を有し、
前記方法は、さらに、
前記注出ボタンのための前記グラフィック表示のところでの前記タッチ感知式ディスプレイとの接触を登録する工程と、
前記注出ボタンのための前記グラフィック表示との前記接触に応答して、前記飲料の選択肢の選択を前記飲料分注システムから供給する工程と
を備える方法。
【請求項４】
請求項３に記載の飲料分注システムのための方法であって、
前記注出状態は、さらに、少なくとも１つの添加物アイコンを備え、
前記方法は、
前記添加物アイコンのところでの前記タッチ感知式ディスプレイとの接触を登録する工程と、
前記添加物アイコンとの前記接触に応答して、前記三次元グラフィック表示の前記接触されたカップのまわりを回る前記添加物アイコンを前記タッチ感知式ディスプレイ上に表示する工程と、
前記注出ボタンのための前記グラフィック表示との前記接触に応答して、前記飲料の選択肢の選択と添加物とを前記飲料分注システムから供給する工程と
を備える方法。
【請求項５】
請求項１に記載の飲料分注システムのための方法であって、
さらに、飲料選択肢選択期間の経過に応答して、前記タッチ感知式ディスプレイ上への前記飲料選択状態の前記表示を中止する工程と、
前記飲料分注システムの飲料選択操作をどのように実施するかを実演するための飲料選択補助状態を前記タッチ感知式ディスプレイ上に表示する工程と
を備え、
前記飲料選択補助状態は、三次元グラフィック表示の複数のカップを備え、該カップは、該カップ上に飲料の選択肢の選択の飲料銘柄ラベルを有するとともに、複数の飲料非選択位置と、飲料選択位置と、を通る順序で移動可能であり、
前記飲料選択補助状態は、さらに、三次元グラフィック表示の手を備え、
前記方法は、さらに、
飲料非選択位置に配置された前記三次元グラフィック表示の複数のカップのうちの１つに接触する前記手を前記タッチ感知式ディスプレイ上に表示する工程と、
前記手および前記接触されたカップを前記飲料非選択位置から前記飲料選択位置まで進める工程と
を備える方法。
【請求項６】
請求項５に記載の飲料分注システムのための方法であって、
さらに、前記手および前記接触されたカップを前記飲料選択位置のところで表示し、それによって、飲料の選択肢の選択を実演する工程を備える
方法。
【請求項７】
請求項３に記載の飲料分注システムのための方法であって、
注出期間の経過に応答して、前記タッチ感知式ディスプレイ上への前記注出状態の表示を中止する工程と、
前記飲料分注システムの注出操作をどのように実施するかを実演するための注出補助状態を前記タッチ感知式ディスプレイ上に表示する工程と
を備え、
前記注出補助状態は、前記三次元グラフィック表示の前記接触されたカップを備え、該接触されたカップは、該接触されたカップ上に前記飲料の選択肢の選択の前記飲料銘柄ラベルを有し、
前記注出補助状態は、さらに、
注出ボタンのためのグラフィック表示と、
三次元グラフィック表示の手と
を備え、
前記方法は、さらに、前記注出ボタンのための前記グラフィック表示と接触する前記手を前記タッチ感知式ディスプレイ上に表示し、それによって、飲料の選択肢の選択の注出を実演する工程を備える
方法。
【請求項８】
請求項４に記載の飲料分注システムのための方法であって、
さらに、注出期間の経過に応答して、前記タッチ感知式ディスプレイ上への前記注出状態の前記表示を中止する工程と、
前記飲料分注システムの注出操作をどのように実施するかを実演するための注出補助状態を前記タッチ感知式ディスプレイ上に表示する工程と
を備え、
前記注出補助状態は、
前記三次元グラフィック表示の前記接触されたカップを備え、該接触されたカップは、該接触されたカップ上に前記飲料の選択肢の選択の前記飲料銘柄ラベルを有し、
前記注出補助状態は、さらに、
注出ボタンのためのグラフィック表示と、
少なくとも１つの添加物アイコンと、
三次元グラフィック表示の手と
を備え、
前記方法は、さらに、
前記添加物アイコンと接触する前記手を前記タッチ感知式ディスプレイ上に表示する工程と、
前記三次元グラフィック表示の前記接触されたカップのまわりを回る前記添加物アイコンを前記タッチ感知式ディスプレイ上に表示し、それによって、添加物選択を実演する工程と
を備える方法。
【請求項９】
請求項１に記載の飲料分注システムのための方法であって、
さらに、ユーザが前記飲料分注システムのところに存在しないことを示す近接センサに応答して、広告状態を前記タッチ感知式ディスプレイ上に表示する工程を備える
方法。
【請求項１０】
請求項１に記載の飲料分注システムのための方法であって、
さらに、制御システムに電気的に接続されるとともに前記タッチ感知式ディスプレイよりも下に配置されたインタフェースボタンを押して、ユーザが前記タッチ感知式ディスプレイに届くことができない場合に、前記飲料分注システムを操作する工程を備える
方法。
【請求項１１】
請求項１に記載の飲料分注システムのための方法であって、
さらに、前記タッチ感知式ディスプレイのメンテナンス要求領域のところでの前記タッチ感知式ディスプレイとの接触を登録する工程と、
前記メンテナンス要求領域との前記接触に応答して、メンテナンス状態を前記タッチ感知式ディスプレイ上に表示する工程と
を備える方法。
【請求項１２】
飲料分注システムのための方法であって、
飲料選択状態をタッチ感知式ディスプレイ上に表示する工程を備え、
前記飲料選択状態は、複数の飲料非選択位置と、飲料選択位置と、を通る順序で移動可能な複数の飲料選択肢選択アイコンを備え、
前記方法は、さらに、
飲料選択肢選択期間の経過に応答して、前記タッチ感知式ディスプレイ上への前記飲料選択状態の表示を中止する工程と、
前記飲料分注システムの飲料選択操作をどのように実施するかを実演するための飲料選択補助状態を前記タッチ感知式ディスプレイ上に表示する工程と
を備え、
前記飲料選択補助状態は、複数の飲料非選択位置と、飲料選択位置と、を通る順序で移動可能な複数の飲料選択肢選択アイコンと、三次元グラフィック表示の手と、を備え、
前記方法は、さらに、
飲料非選択位置のところに配置された飲料選択肢選択アイコンと接触する前記手を前記タッチ感知式ディスプレイ上に表示する工程と、
前記タッチ感知式ディスプレイ上で、前記手と、前記接触された飲料選択肢選択アイコンと、を前記飲料非選択位置から前記飲料選択位置まで進める工程と
を備える方法。
【請求項１３】
請求項１２に記載の飲料分注システムのための方法であって、
さらに、前記飲料選択位置のところで、前記手と、前記接触された飲料選択肢選択アイコンと、を前記タッチ感知式ディスプレイ上に表示する工程を備える
方法。
【請求項１４】
請求項１２に記載の飲料分注システムのための方法であって、
さらに、前記飲料選択肢選択アイコンのうちの１つのところでの前記タッチ感知式ディスプレイとの接触を登録する工程と、
前記接触を処理して、前記接触が静止的な接触であるか移動する接触であるかを決定する工程と、
移動する接触に応答して、前記複数の飲料非選択位置と、前記飲料選択位置と、の間で前記接触の始点と前記接触の終点とを決定する工程と、
前記タッチ感知式ディスプレイ上で、接触された飲料選択肢選択アイコンを前記接触の前記始点から前記接触の前記終点まで進め、それによって、前記複数の飲料非選択位置と、前記飲料選択位置と、の間で前記接触された飲料選択肢選択アイコンを移動させる工程と、
前記接触が静止的な接触であり、接触された飲料選択肢選択アイコンが前記飲料選択位置のところにある場合に、飲料の選択肢の選択として、該接触された飲料選択肢選択アイコンを記憶する工程と
を備える方法。
【請求項１５】
請求項１３に記載の飲料分注システムのための方法であって、
さらに、前記接触が静止的な接触であり、接触された飲料選択肢選択アイコンが飲料非選択位置にある場合に前記タッチ感知式ディスプレイ上で、前記接触された飲料選択肢選択アイコンを飲料非選択位置から前記飲料選択位置まで進める工程を備える
方法。
【請求項１６】
請求項１３に記載の飲料分注システムのための方法であって、
さらに、前記飲料の選択肢の選択に応答して、前記タッチ感知式ディスプレイ上での前記飲料選択状態の表示を中止する工程と、
前記接触された飲料選択肢選択アイコンと、注出ボタンのためのグラフィック表示と、を有する注出状態を前記タッチ感知式ディスプレイ上に表示する工程と、
注出期間の経過に応答して、前記タッチ感知式ディスプレイ上での前記注出状態の表示を中止する工程と、
前記接触された飲料選択肢選択アイコンと、注出ボタンのためのグラフィック表示と、三次元グラフィック表示の手と、を有する注出補助状態であって、前記飲料分注システムの注出操作をどのように実施するかを実演するための注出補助状態を前記タッチ感知式ディスプレイ上に表示する工程と、
前記注出ボタンのための前記グラフィック表示に接触する前記手を前記ディスプレイ上に表示し、それによって、飲料の選択肢の選択の注出を実演する工程と
を備える方法。
【請求項１７】
請求項１６に記載の飲料分注システムのための方法であって、
さらに、前記注出状態および前記注出補助状態の各々は、少なくとも１つの添加物アイコンを備え、
前記方法は、注出期間の経過に応答して、前記タッチ感知式ディスプレイ上での前記注出状態の前記表示を中止する工程と、
前記注出補助状態を前記タッチ感知式ディスプレイ上に表示する工程と、
前記添加物アイコンに接触する前記手を前記タッチ感知式ディスプレイ上に表示する工程と、
前記接触された前記飲料選択肢選択アイコンのまわりを回る前記添加物アイコンを前記タッチ感知式ディスプレイ上に表示し、それによって、添加物の選択を実演する工程と
を備える方法。
【請求項１８】
請求項１６に記載の飲料分注システムのための方法であって、
さらに、前記注出ボタンの前記グラフィック表示のところでの前記タッチ感知式ディスプレイとの接触を登録する工程と、
前記注出ボタンのための前記グラフィック表示との接触に応答して、前記飲料分注システムから前記飲料の選択肢の選択を供給する工程と
を備える方法。
【請求項１９】
請求項１７に記載の飲料分注システムのための方法であって、
さらに、前記添加物アイコンのところでの前記タッチ感知式ディスプレイとの接触を登録する工程と、
前記添加物アイコンとの前記接触に応答して、前記接触された飲料選択肢選択アイコンのまわりを回る前記添加物アイコンを前記タッチ感知式ディスプレイ上に表示する工程と、
前記注出ボタンのための前記グラフィック表示との接触に応答して、前記飲料分注システムから前記飲料の選択肢の選択および添加物を供給する工程と
を備える方法。
【請求項２０】
飲料分注システムであって、
飲料選択状態を表示するように構成されたタッチ感知式ディスプレイを備え、
前記タッチ感知式ディスプレイは、三次元グラフィック表示の複数のカップを有し、該カップは、該カップ上に飲料の選択肢の選択の飲料銘柄ラベルを有するとともに、複数の飲料非選択位置と、飲料選択位置と、を通る順序で移動可能であり、
前記飲料分注システムは、さらに、前記タッチ感知式ディスプレイに電気的に接続される制御システムを備え、
前記制御システムは、
前記飲料選択状態を表示するために前記タッチ感知式ディスプレイを制御し、
前記三次元グラフィック表示の複数のカップのうちの１つのところでの前記タッチ感知式ディスプレイとのユーザの接触を登録し、
前記ユーザの接触を処理して、前記接触が静止的な接触であり、それによって、前記ユーザが前記タッチ感知式ディスプレイを前記三次元グラフィック表示の複数のカップのうちの１つのところでタップするのか、それとも、移動する接触であり、それによって、前記ユーザが、前記タッチ感知式ディスプレイとの接触を維持した状態で、前記飲料非選択位置と前記飲料選択位置との間で前記タッチ感知式ディスプレイを横切るのかを決定し、
移動する接触に応答して、前記複数の飲料非選択位置と、前記飲料選択位置と、の間で前記ユーザの接触の始点と前記ユーザの接触の終点とを決定し、
前記タッチ感知式ディスプレイを制御して、接触されたカップを前記ユーザの接触の前記始点から前記ユーザの接触の前記終点まで進め、それによって、前記接触されたカップを前記複数の飲料非選択位置と、前記飲料選択位置と、の間で移動させ、
前記ユーザの接触が静止的な接触であり、接触されたカップが前記飲料選択位置のところにある場合に、飲料の選択肢の選択として、該接触されたカップを記憶する
飲料分注システム。
【請求項２１】
請求項２０に記載の飲料分注システムであって、
前記制御システムは、前記接触が静止的な接触であり、接触されたカップが飲料非選択位置のところにある場合に、前記タッチ感知式ディスプレイを制御して、前記接触されたカップを飲料非選択位置から前記飲料選択位置に進める
飲料分注システム。
【請求項２２】
請求項２０に記載の飲料分注システムであって、
前記制御システムは、
前記タッチ感知式ディスプレイを制御して、前記飲料の選択肢の選択に応答して、前記飲料選択状態の表示を中止し、
前記タッチ感知式ディスプレイを制御して、注出状態を表示し、
前記注出状態は、三次元グラフィック表示の選択されたカップを備え、該選択されたカップは、該選択されたカップ上に飲料の選択肢の選択の飲料銘柄ラベルと、注出ボタンのためのグラフィック表示と、を有し、
前記制御システムは、
前記注出ボタンの前記グラフィック表示のところでの前記タッチ感知式ディスプレイとの接触を登録し、
前記飲料分注システムを制御して、前記注出ボタンのための前記グラフィック表示との前記接触に応答して、前記飲料の選択肢の選択を供給する
飲料分注システム。
【請求項２３】
請求項２２に記載の飲料分注システムであって、
前記注出状態は、さらに、少なくとも１つの添加物アイコンを備え、
前記制御システムは、
前記添加物アイコンのところでの前記タッチ感知式ディスプレイとの接触を登録し、
前記タッチ感知式ディスプレイを制御して、前記添加物アイコンとの前記接触に応答して、前記三次元グラフィック表示の前記接触されたカップの回る前記添加物アイコンを表示し、
前記タッチ感知式ディスプレイを制御して、前記注出ボタンのための前記グラフィック表示との前記接触に応答して、前記飲料の選択肢の選択および添加物を供給する
飲料分注システム。
【請求項２４】
請求項２０に記載の飲料分注システムであって、
前記制御システムは、
前記タッチ感知式ディスプレイを制御して、飲料選択肢選択期間の経過に応答して、前記飲料選択状態の表示を中止し、
前記タッチ感知式ディスプレイを制御して、前記飲料分注システムの飲料選択操作をどのように実施するかを実演するための飲料選択補助状態を表示し、
前記飲料選択補助状態は、三次元グラフィック表示の複数のカップを備え、該カップは、該カップ上に飲料の選択肢の選択の飲料銘柄ラベルを有するとともに、複数の飲料非選択位置と、飲料選択位置と、を通る順序で移動可能であり、
前記飲料選択補助状態は、さらに、三次元グラフィック表示の手を備え、
前記制御システムは、さらに、
前記タッチ感知式ディスプレイを制御して、飲料非選択位置のところに配置された前記三次元グラフィック表示の複数のカップのうちの１つと接触する前記手を表示し、
前記タッチ感知式ディスプレイを制御して、前記手および前記接触されたカップを前記飲料非選択位置から前記飲料選択位置まで進める
飲料分注システム。
【請求項２５】
請求項２４に記載の飲料分注システムであって、
前記制御システムは、前記タッチ感知式ディスプレイを制御して、前記飲料選択位置のところに前記手および前記接触されたカップを表示し、それによって、飲料の選択肢の選択を実演する
飲料分注システム。
【請求項２６】
請求項２２に記載の飲料分注システムであって、
前記制御システムは、
前記タッチ感知式ディスプレイを制御して、注出期間の経過に応答して、前記注出状態の表示を中止し、
前記タッチ感知式ディスプレイを制御して、前記飲料分注システムの注出操作をどのように実施するかを実演するための注出補助状態を表示し、
前記注出補助状態は、前記三次元グラフィック表示の前記選択されたカップを備え、該選択されたカップは、該選択されたカップ上に前記飲料の選択肢の選択の前記飲料銘柄ラベルを有し、
前記注出補助状態は、さらに、
注出ボタンのためのグラフィック表示と、
三次元グラフィック表示の手と
を備え、
前記制御システムは、前記タッチ感知式ディスプレイを制御して、前記注出ボタンのための前記グラフィック表示と接触する前記手を表示し、それによって、前記飲料の選択肢の選択の注出を実演する
飲料分注システム。
【請求項２７】
請求項２３に記載の飲料分注システムであって、
前記制御システムは、
前記タッチ感知式ディスプレイを制御して、注出期間の経過に応答して、前記注出状態の表示を中止し、
前記タッチ感知式ディスプレイを制御して、前記飲料分注システムの注出操作をどのように実施するかを実演するための注出補助状態を表示し、
前記注出補助状態は、前記三次元グラフィック表示の前記選択されたカップを備え、該選択されたカップは、該選択されたカップ上に前記飲料の選択肢の選択の前記飲料銘柄ラベルを有し、
前記注出補助状態は、さらに、
注出ボタンのためのグラフィック表示と、
少なくとも１つの添加物アイコンと、
三次元グラフィック表示の手と
を備え、
前記制御システムは、
前記タッチ感知式ディスプレイを制御して、前記添加物アイコンと接触する前記手を表示し、
前記タッチ感知式ディスプレイを制御して、前記三次元グラフィック表示の前記接触されたカップの前記まわりを回る前記添加物アイコンを表示し、それによって、添加物選択を実演する
飲料分注システム。
【請求項２８】
請求項２０に記載の飲料分注システムであって、
さらに、前記制御システムに電気的に接続される近接センサを備え、
前記制御システムは、
前記タッチ感知式ディスプレイを制御して、ユーザが前記飲料分注システムのところに存在しないことを示す前記近接センサに応答して、広告状態を表示する
飲料分注システム。
【請求項２９】
請求項２０に記載の飲料分注システムであって、
さらに、前記制御システムに電気的に接続されるとともに前記タッチ感知式ディスプレイよりも下に配置され、前記タッチ感知式ディスプレイに届くことができないユーザが前記飲料分注システムを操作することができる複数のインタフェースボタンを備える
飲料分注システム。
【請求項３０】
請求項２０に記載の飲料分注システムであって、
前記制御システムは、
前記タッチ感知式ディスプレイのメンテナンス要求領域のところでの前記タッチ感知式ディスプレイとの接触を登録し、
前記タッチ感知式ディスプレイを制御して、前記メンテナンス要求領域との前記接触に応答して、メンテナンス状態を表示する
飲料分注システム。
【請求項３１】
飲料分注システムであって、
飲料選択状態と、前記飲料分注システムの飲料選択操作をどのように実施するかを実演するための飲料選択補助状態と、を表示するように構成されたタッチ感知式ディスプレイを備え、
前記飲料選択状態は、複数の飲料非選択位置と、飲料選択位置と、を通る順序で移動可能な複数の飲料選択肢選択アイコンを備え、
前記飲料選択補助状態は、複数の飲料非選択位置と、飲料選択位置と、を通る順序で移動可能な複数の飲料選択肢選択アイコンと、三次元グラフィック表示の手と、を備え、
前記飲料分注システムは、さらに、前記タッチ感知式ディスプレイと電気的に接続される制御システムを備え、
前記制御システムは、
前記タッチ感知式ディスプレイを制御して、前記飲料選択状態を表示し、
前記タッチ感知式ディスプレイを制御して、飲料選択肢選択期間の経過に応答して、前記飲料選択状態の表示を中止し、
前記タッチ感知式ディスプレイを制御して、前記飲料選択補助状態を表示し、
前記タッチ感知式ディスプレイは、飲料非選択位置のところに配置された飲料選択肢選択アイコンと接触する前記手を表示し、
前記制御システムは、前記タッチ感知式ディスプレイを制御して、前記手および前記接触された飲料選択肢選択アイコンを前記飲料非選択位置から前記飲料選択位置に進める
飲料分注システム。
【請求項３２】
請求項３１に記載の飲料分注システムであって、
前記制御システムは、前記タッチ感知式ディスプレイを制御して、前記手および前記接触された飲料選択肢選択アイコンを前記飲料選択位置のところに表示し、それによって、飲料の選択肢の選択を実演する
飲料分注システム。
【請求項３３】
請求項３１に記載の飲料分注システムであって、
前記制御システムは、
前記飲料選択肢選択アイコンのうちの１つのところでの前記タッチ感知式ディスプレイとの接触を登録し、
前記接触を処理して、前記接触が静止的な接触であるか移動する接触であるかを決定し、
移動する接触に応答して、前記複数の飲料非選択位置と、前記飲料選択位置と、の間で前記接触の始点と前記接触の終点とを決定し、
前記タッチ感知式ディスプレイ上で、接触された飲料選択肢選択アイコンを前記接触の前記始点から前記接触の前記終点まで進め、それによって、前記複数の飲料非選択位置と、前記飲料選択位置と、の間で前記接触された飲料選択肢選択アイコンを移動させ、
前記接触が静止的な接触であり、接触された飲料選択肢選択アイコンが前記飲料選択位置のところにある場合に、飲料の選択肢の選択として、該接触された飲料選択肢選択アイコンを記憶する
飲料分注システム。
【請求項３４】
請求項３３に記載の飲料分注システムであって、
前記制御システムは、前記タッチ感知式ディスプレイを制御して、前記接触が静止的な接触であり、接触された飲料選択肢選択アイコンが飲料非選択位置にある場合に、前記接触された飲料選択肢選択アイコンを飲料非選択位置から前記飲料選択位置まで進める
飲料分注システム。
【請求項３５】
請求項３３に記載の飲料分注システムであって、
前記タッチ感知式ディスプレイは、注出状態と、前記飲料分注システムの注出操作をどのように実施するかを実演するための注出補助状態と、を表示するように構成され、
前記注出状態は、前記接触された飲料選択肢選択アイコンと、注出ボタンのためのグラフィック表示と、を備え、
前記注出補助状態は、前記接触された飲料選択肢選択アイコンと、注出ボタンのためのグラフィック表示と、三次元グラフィック表示の手と、を備え、
前記制御システムは、
前記タッチ感知式ディスプレイを制御して、前記飲料の選択肢の選択に応答して、前記飲料選択状態の表示を中止し、
前記タッチ感知式ディスプレイを制御して、前記注出状態を表示し、
前記タッチ感知式ディスプレイを制御して、注出期間の経過に応答して、前記注出状態の表示を中止し、
前記タッチ感知式ディスプレイを制御して、前記注出補助状態を表示し、
前記タッチ感知式ディスプレイを制御して、前記注出ボタンのための前記グラフィック表示と接触する前記手を表示し、それによって、飲料の選択肢の選択の注出を実演する
飲料分注システム。
【請求項３６】
請求項３５に記載の飲料分注システムであって、
前記注出状態および前記注出補助状態の各々は、少なくとも１つの添加物アイコンを備え、
前記制御システムは、
前記タッチ感知式ディスプレイを制御して、注出期間の経過に応答して、前記注出状態の前記表示を中止し、
前記タッチ感知式ディスプレイを制御して、前記注出補助状態を表示し、
前記タッチ感知式ディスプレイを制御して、前記添加物アイコンに接触する前記手を表示し、
前記タッチ感知式ディスプレイを制御して、前記接触された飲料選択肢選択アイコンのまわりを回る前記添加物アイコンを表示し、それによって、添加物の選択を実演する
飲料分注システム。
【請求項３７】
請求項３５に記載の飲料分注システムであって、
前記制御システムは、
前記注出ボタンの前記グラフィック表示のところでの前記タッチ感知式ディスプレイとの接触を登録し、
前記タッチ感知式ディスプレイを制御して、前記注出ボタンのための前記グラフィック表示との接触に応答して、前記飲料の選択肢の選択を供給する
飲料分注システム。
【請求項３８】
請求項３６に記載の飲料分注システムであって、
前記制御システムは、
前記添加物アイコンのところでの前記タッチ感知式ディスプレイとの接触を登録し、
前記タッチ感知式ディスプレイを制御して、前記添加物アイコンとの前記接触に応答して、前記接触された飲料選択肢選択アイコンのまわりを回る前記添加物アイコンを表示し、
前記タッチ感知式ディスプレイを制御して、前記注出ボタンのための前記グラフィック表示との接触に応答して、前記飲料の選択肢の選択および添加物を供給する
飲料分注システム。
【発明の詳細な説明】
【技術分野】
【０００１】
本発明は、概して入力システム、方法およびデバイスに関し、より詳細には、飲料ディスペンサのためのタッチスクリーンに関連する手動入力を解釈するためのシステム、方法およびデバイスに関する。
【背景技術】
【０００２】
現在、飲料ディスペンサ用の注出機構の選択および起動のための様々なタイプの入力デバイスが存在する。この入力デバイスには、ボタン、レバー、タッチ画面が含まれ得る。例えば、操作は、機械的なレバーを動かすこと、機械的なボタンを押すこと、ソレノイドを動作させるレバーを動かすこと、または、ソレノイドを動作させるボタンを押すことに対応し得る。
【０００３】
上述の方法は、特定の飲料を表示し、消費者が飲料の所望の選択肢を選択するのには十分である。しかしながら、飲料ディスペンサの製造者は、消費者のためにより相互作用的な技能を求めている。飲料ディスペンサの選択および起動をより相互作用的な技能とすることによって、飲料の広告の助けになるとともに、消費者の興味を引き、その興味が維持される。より相互作用的な技能についての目標において飲料ディスペンサの製造者を補助するのは、タッチスクリーンの技術である。タッチスクリーンは、グラフィックおよび文字を表示するために、また、ユーザがデバイスとやり取りすることができるユーザインタフェースを提供するために、多くの電子デバイスにおいて使用されている。したがって、飲料の選択とともに消費者への広告および補助になるように相互作用的で魅力的なディスプレイを提供するためのタッチスクリーン技術を使用する飲料ディスペンサは、有益である。
【発明の概要】
【課題を解決するための手段】
【０００４】
飲料分注システムは、分注される飲料の選択肢を供給するように構成された飲料ディスペンサを備えている。近接センサが飲料分注システムのところにユーザが存在しているときを決定する。タッチ感知式ディスプレイが広告状態、飲料選択状態、注出状態のうちの１つを表示する。飲料ディスペンサ、近接センサおよびタッチ感知式ディスプレイに接続された制御システムが、飲料分注システムの動作を制御する。
【０００５】
制御システムは、ユーザが飲料分注システムのところに存在しないことを表す近接センサに応答して、タッチ感知式ディスプレイに広告状態を表示する。制御システムは、ユーザが飲料分注システムのところに存在することを表す近接センサに応答して、タッチ感知式ディスプレイに飲料選択状態を表示する。制御システムは、飲料選択状態の表示中にタッチ感知式ディスプレイを介してなされた飲料の選択肢の選択に応答して、タッチ感知式ディスプレイに注出状態を表示する。制御システムは、注出状態の表示中にタッチ感知式ディスプレイを介してなされた注出要求に応答して、飲料の選択肢を供給するように飲料ディスペンサを動作させる。
【０００６】
タッチ感知式ディスプレイに表示される飲料選択状態には、飲料の選択肢の選択の飲料ブランドのラベルを有するカップの複数の三次元グラフィック表示が含まれる。カップの複数の三次元グラフィック表示は、飲料非選択位置および飲料選択位置を順次通って移動可能である。制御システムは、飲料選択状態から、カップの複数の三次元グラフィック表示のうちの１つのところでのタッチ感知式ディスプレイへの接触を登録し、当該接触を処理して、接触が静止的な接触か、移動的な接触かを決定する。制御システムは、移動的な接触に応答して、飲料非選択位置および飲料選択位置のうちから接触の始点と終点とを決定する。次いで、制御システムは、接触されたカップを接触の始点から終点まで進めて、それによって、飲料非選択位置および飲料選択位置のうちから、接触されたカップを移動させる。あるいは、制御システムは、接触が静止的な接触であり、かつ、接触されたカップが飲料非選択位置にある場合に、接触されたカップを飲料非選択位置および飲料選択位置まで進める。制御システムは、接触が静止的な接触であり、かつ、接触されたカップが飲料選択位置にある場合に、接触されたカップを飲料の選択肢の選択として保存する。
【０００７】
タッチ感知式ディスプレイに表示される注出状態には、飲料の選択肢の選択の飲料ブランドのラベルと、注出ボタン用のグラフィック表示と、を有する、接触されたカップの三次元グラフィック表示が含まれる。制御システムは、飲料の選択肢の選択に応答した飲料選択状態の表示を停止させるとともに、タッチ感知式ディスプレイに注出状態を表示する。制御システムは、注出状態から、注出ボタンのグラフィック表示のところでのタッチ感知式ディスプレイへの接触を登録し、注出ボタン用のグラフィック表示への接触に応答して飲料分注システムから飲料の選択肢の選択を供給する。
【０００８】
タッチ感知式ディスプレイに表示される注出状態には、さらに、少なくとも１つの追加的なアイコンが含まれてもよい。制御システムは、追加的なアイコンへの接触を登録し、それに応答して、接触されたカップの三次元グラフィック表示を丸で囲む追加的なアイコンをタッチ感知式ディスプレイに表示する。制御システムは、注出ボタン用のグラフィック表示への接触に応答して、飲料分注システムからの飲料の選択肢の選択および追加を供給する。
【０００９】
制御システムは、飲料の選択肢の選択期間の経過に応答して、飲料選択状態の表示を停止し、その代わりに、タッチ感知式ディスプレイに飲料選択補助状態を表示する。タッチ感知式ディスプレイに表示される飲料選択補助状態には、手の三次元グラフィック表示と、飲料の選択肢の選択の飲料ブランドのラベルを有するカップの複数の三次元グラフィック表示と、が含まれる。カップの複数の三次元グラフィック表示は、飲料非選択位置および飲料選択位置を順次通って移動可能である。制御システムは、飲料選択補助状態から、飲料非選択位置に配置されたカップの複数の三次元グラフィック表示のうちの１つに接触する手をタッチ感知式ディスプレイに表示する。次いで、制御システムは、飲料非選択位置から飲料選択位置まで進めるとともに、手と、接触されたカップと、を飲料選択位置のところに表示し、それによって、飲料の選択肢の選択を実演する。
【００１０】
制御システムは、注出期間の経過に応答して注出状態の表示を停止し、その代わりに、タッチ感知式ディスプレイに注出補助状態を表示する。タッチ感知式ディスプレイに表示される注出補助状態には、飲料の選択肢の選択の飲料ブランドのラベルを有する接触されたカップの三次元グラフィック表示と、注出ボタンのグラフィック表示と、手の三次元グラフィック表示と、が含まれる。制御システムは、注出補助状態から、注出ボタン用のグラフィック表示に接触する手をタッチ感知式ディスプレイに表示し、それによって、飲料の選択肢の選択注出を実演する。注出補助状態には、さらに、少なくとも１つの追加的なアイコンが含まれてもよい。注出補助状態に少なくとも１つの追加的なアイコンが含まれる場合には、制御システムは、タッチ感知式ディスプレイに追加的なアイコンに接触する手を表示し、次いで、接触されたカップの三次元グラフィック表示を丸で囲む追加的なアイコンを表示し、それによって、追加的な選択を実演する。
【図面の簡単な説明】
【００１１】
【図１】好ましい実施形態による飲料分注システム用の構成要素の関係を示すブロック図である。
【図２】カバーが取り付けられた飲料分注システムの飲料ディスペンサを示す斜視図である。
【図３】カバーが取り外された飲料分注システムの飲料ディスペンサを示す斜視図である。
【図４】飲料分注システム制御システム用の構成要素の関係を示すブロック図である。
【図５】飲料分注システム用の広告画面を示す。
【図６】飲料分注システム用飲料選択画面を示す。
【図７】飲料分注システム用の注出画面を示す。
【図８ａ】飲料分注システム用の飲料選択状態補助画面を示す。
【図８ｂ】飲料分注システム用の飲料選択状態補助画面を示す。
【図８ｃ】飲料分注システム用の飲料選択状態補助画面を示す。
【図９ａ】飲料分注システム用の注出状態補助画面を示す。
【図９ｂ】飲料分注システム用の注出状態補助画面を示す。
【図９ｃ】飲料分注システム用の注出状態補助画面を示す。
【図９ｄ】飲料分注システム用の注出状態補助画面を示す。
【図９ｅ】飲料分注システム用の注出状態補助画面を示す。
【図１０ａ】位置３に配置された飲料アイコンをユーザが選択する様子を示す。
【図１０ｂ】位置３において選択された飲料アイコンを位置２までユーザが移動させる様子を示す。
【図１０ｃ】位置３において選択された飲料アイコンを位置２から位置１までユーザが移動させる様子を示す。
【図１１ａ】位置３に配置された飲料アイコンをユーザが直接的に選択する様子を示す。
【図１１ｂ】位置３に配置された飲料アイコンをユーザが直接的に選択する様子を示す。
【図１１ｃ】位置３に配置された飲料アイコンをユーザが直接的に選択する様子を示す。
【図１２ａ】飲料選択位置に配置された飲料アイコンをユーザが選択する様子を示す。
【図１２ｂ】飲料選択状態と注出状態との間での変遷を示す。
【図１３】注出状態内の第１の添加物をユーザが選択する様子を示す。
【図１４】注出状態内の選択された第１の添加物を示す。
【図１５】注出状態内の第２の添加物をユーザが選択する様子を示す。
【図１６ａ】注出状態内の選択された第２の添加物を示す。
【図１６ｂ】注出状態内の飲料を注出する様子を示す。
【図１７】飲料分注システムのメモリ内の飲料容器ファイルを示す。
【図１８ａ】メンテナンス状態内のマインメニュー画面を示す。
【図１８ｂ】メンテナンス状態内のパスコードキー画面を示す。
【図１８ｃ】メンテナンス状態内のシステムセットアップ画面を示す。
【図１８ｄ】メンテナンス状態内のサービス画面を示す。
【図１８ｅ】メンテナンス状態内のプレイリスト画面を示す。
【図１８ｆ】メンテナンス状態内の使用画面を示す。
【図１９】飲料分注システム用の広告状態の動作を示すフローチャートである。
【図２０】飲料分注システム用の飲料選択状態の動作を示すフローチャートである。
【図２１】飲料分注システム用の注出状態の動作を示すフローチャートである。
【図２２】飲料分注システム用の補助状態の動作を示すフローチャートである。
【図２３】飲料分注システム用のメンテナンス状態の動作を示すフローチャートである。
【発明を実施するための形態】
【００１２】
要求に応じて、本発明の詳細な実施形態が本明細書で開示されるが、開示される実施形態は本発明の単なる例示であり、本発明を様々な形態で実施できることが理解されるべきである。図面は、必ずしも縮尺通りではなく、いくつかの特徴は、特定の構成要素または工程の詳細を示すために大きく示されている場合がある。
【００１３】
図１は、飲料分注システム５０を備える構成要素の関係を示すブロック図である。飲料分注システム５０は、飲料ディスペンサ１００と、制御システム２００と、タッチ感知式ディスプレイ３００と、サウンドシステム６００と、相互インタフェースボタン１２１と、近接センサ４００と、電力システム９００と、を備えている。
【００１４】
図２および図３は、飲料ディスペンサ１００を示している。飲料ディスペンサ１００は、当業者に周知のタイプであり、任意の適切な飲料を分注する。飲料ディスペンサは、清涼飲料水を分注する前混合タイプおよび後混合タイプのいずれであってもよい。本実施例では後混合式飲料ディスペンサを開示するが、開示される飲料ディスペンサは例示に過ぎず、当業者は、飲料分注システム５０において飲料ディスペンサ１００として任意の飲料ディスペンサを採用できることを理解するであろう。飲料ディスペンサ１００は、製品源と、ハウジング１１０と、分注バルブ１１５と、ノズル１１６と、カバー１１７と、ドリップトレイ１１８と、氷ディスペンサ１１９と、を備えている。
【００１５】
ハウジング１１０は、矩形形状であり、飲料ディスペンサ１００のための構造を提供する。ハウジング１１０は、冷却システムを内部に有するチャンバと、氷を受け入れて収容するための領域と、を備えている。冷却システムは、氷バンクまたはコールドプレートを形成する冷凍ユニットであってもよい。冷却システムが冷凍ユニットを備えている場合には、冷却システムは、電子的に通信し、制御システム２００によって制御される。制御システム２００は、冷却システムを制御して、飲料ディスペンサ１００内の温度を調節し、飲料がエンドユーザに適切な温度で供給されることを確実にする。本発明の本実施形態では、飲料ディスペンサ１００は、コールドプレートを使用して流入する水、炭酸水および製品を冷却する。コールドプレートは、任意の適切な材料から製造されることができるが、本実施形態ではアルミニウムから形成される。チャンバ内に供給された氷は、コールドプレートと接触して、コールドプレートを通って流れる水、炭酸水および製品を冷却するのに必要な熱伝達を生じさせる。
【００１６】
本発明の本実施形態では、飲料ディスペンサ１００は、清涼飲料水の製造において製品、および、純水または炭酸水をエンドユーザに供給するために、製品源から製品を受け取り、水源から水を受け取り、炭酸水源から炭酸水を受け取る。製品源は、本明細書では箱内袋と称される箱内に梱包される袋に収容されたシロップである。箱内袋は、飲料ディスペンサ１００の近傍に配置されたラックに格納される。箱内袋の数およびタイプは、特定の用途に求められるフレーバの数およびタイプに対応している。水源からの水は、公共水源などの任意の適切な源からであってもよい。炭酸水源は、典型的には、水源および燦々ガス源に連結されたカーボネータである。
【００１７】
水源からの水、炭酸水源からの炭酸水、および、製品源からの製品は、ポンプによって移送され、供給ラインを介して飲料ディスペンサ１００へ移動する。ポンプは、電子的に通信し、制御システム２００によって制御される。制御システム２００は、ポンプを制御して、供給ラインを介して水、炭酸水および製品を飲料ディスペンサ１００へ移送する。飲料ディスペンサ１００に入った後、供給ラインは、冷却システム１５０の供給ラインに接続される。本実施形態では、冷却システム１５０は、コールドプレート内に収容された供給ラインである。製品、水および炭酸水がコールドプレートを通って移動する際、飲料ディスペンサ１００内の別の供給ラインを介して分注バルブ１１５に移送する前に、コールドプレートは、製品、水および炭酸水を冷却する。
【００１８】
分注バルブ１１５は、飲料ディスペンサ１００のハウジング１１０に取り付けられ、電子ソレノイド、容量バルブ、または、調整された流体流れを提供することができる任意のバルブなどの任意の適切なタイプとすることができる。分注バルブ１１５の数は、最終的な使用用途に求められる様々なフレーバの数に対応している。分注バルブ１１５は、電子的に通信し、制御システム２００によって制御される。制御システム２００は、分注バルブ１１５を制御して、適切な清涼飲料水を製造するために適切な量の水、炭酸水、製品および任意の所望の添加物を移送する。分注バルブ１１５は、製品と、水および炭酸水のうちの一方と、を飲料ディスペンサ１００から供給する単数または複数のノズル１１６に接続される。本発明の本実施形態では、ノズル１１６は、当業者に周知のタイプのマルチフレーバノズルである。
【００１９】
カバー１１７は、飲料ディスペンサ１００の上に装着され、任意の適切な材料で形成され得る。カバー１１７は、飲料ディスペンサ１００の構成要素をエンドユーザから隠すことによって、見的な魅力を提供する。ドリップトレイ１１８は、ノズル１１６の下方に配置され、ノズル１１６から意図せずに漏れるか、または、ユーザによってこぼされた任意の液体を捕捉するように構成される。
【００２０】
氷ディスペンサ１１９は、本発明の本実施形態では、分注される飲料に氷が含まれることができるように備えられている。氷は、任意の適切な方法（例えば、飲料ディスペンサ１００に氷を注出すること、または、飲料ディスペンサ１００の情報に取り付けられた氷メーカー）を使用して飲料分注システム５０に追加される。チャンバ内の氷は、後で分注するために氷チャンバ１１１の氷貯留領域に貯留されるか、または、製品、水および炭酸水を冷却するのに使用するためにコールドプレートに移動される。
【００２１】
図４は、制御システム２００の構成要素を示すブロック図である。制御システム２００は、飲料分注システム５０の構成要素と電気的に接続されるとともに通信する。制御システム２００の目的は、飲料ディスペンサ１００、タッチ感知式ディスプレイ３００、サウンドシステム６００、相互インタフェースボタン１２１および近接センサ４００（備えられる場合）の動作を監視し、制御することである。特に、制御システム２００は、ユーザ入力を受け付けて、ユーザ入力を処理し、任意の選択された添加物を含めて選択された飲料をユーザに供給する。また、制御システム２００は、飲料分注システム５０の全体に配電してもよい。制御システム２００は、エンドユーザからの入力を取得して飲料を分注するために相互に電気的に通信する飲料ディスペンサコントローラおよびタッチ感知式ディスプレイコントローラ２０２を備えている。本発明の本実施形態では、制御システム２００は、飲料ディスペンサコントローラ２０１とタッチ感知式ディスプレイコントローラ２０２とを備えているが、単一または複数のコントローラを使用することができることが当業者には理解されよう。
【００２２】
飲料ディスペンサコントローラ２０１は、マイクロコントローラ２１０とメモリ２１２とを備えている。飲料ディスペンサコントローラ２０１は、飲料ディスペンサ１００の様々な構成要素（ポンプ１４０および分注バルブ１１５が含まれる）から入力を受け付けるとともに、これらに出力を与える。マイクロコントローラ２１０は、飲料ディスペンサ１００を制御するのに適した任意のタイプのマイクロコントローラ、ＣＰＵ、マイクロプロセッサなどを有していてもよい。飲料ディスペンサコントローラ２０１のマイクロコントローラ２１０は、メモリ２１２内に格納されたプログラムを呼び出して実行する。飲料ディスペンサコントローラ２０１のメモリ２１２は、磁気ディスク、フラッシュメモリデバイスなどの、コンピュータプログラムを格納できる任意の適切なＲＡＭ、またはＲＯＭ記憶デバイスを備えていてもよい。本実施形態は、メモリ２１２用のＵＳＢフラッシュドライブなどの交換可能なフラッシュメモリデバイスを使用する。ＵＳＢフラッシュドライブによって、技術者は、ＵＳＢフラッシュドライブ内のプログラムを変更することによって、または、ＵＳＢフラッシュドライブ全体を取り替えることによって、飲料ディスペンサ１００の設定を変更することができる。また、飲料分注システム５０は、Ｗｉ−Ｆｉネットワークに接続されてもよい。この場合、飲料ディスペンサコントローラ２０１のメモリ２１２内のプログラムおよび設定は、インターネットを介して遠隔的に変更され得る。
【００２３】
タッチ感知式ディスプレイコントローラ２０２は、様々な構成要素（飲料ディスペンサコントローラ２０１、タッチ感知式ディスプレイ３００，相互インタフェースボタン１２１、サウンドシステム６００および近接センサ４００が含まれる）から入力を受け付けるとともに、これらに出力を与える。マイクロコントローラ２１１は、電子システムを制御するのに適した任意のタイプのマイクロコントローラ、ＣＰＵ、マイクロプロセッサなどを有していてもよい。タッチ感知式ディスプレイコントローラ２０２のマイクロコントローラ２１１は、データファイルを呼び出して、メモリ２１３内に格納されたプログラムを実行する。飲料ディスペンサコントローラ２０１のメモリ２１３は、磁気ディスクまたはフラッシュメモリデバイスなどのコンピュータプログラムを格納することができる任意の適切なＲＡＭまたはＲＯＭ記憶デバイスを備えていてもよい。本実施形態は、メモリ２１３用にＵＳＢフラッシュドライブなどの交換可能なフラッシュメモリデバイスを使用する。ＵＳＢフラッシュドライブによって、操作者は、ＵＳＢフラッシュドライブ内のプログラムを変更することによって、または、ＵＳＢフラッシュドライブカード全体を取り替えることによって、飲料ディスペンサ１００の設定を変更することができる。また、飲料分注システム５０は、Ｗｉ−Ｆｉネットワークに接続されてもよいことに留意されたい。この場合、タッチ感知式ディスプレイコントローラ２０２のメモリ２１３内のプログラムおよび設定は、インターネットを介して遠隔的に変更され得る。
【００２４】
飲料ディスペンサコントローラ２０１およびタッチ感知式ディスプレイコントローラ２０２は、エンドユーザからの入力を取得して飲料を分注するために相互に電子的に通信する。タッチ感知式ディスプレイコントローラ２０２は、ユーザの飲料選択（任意の添加物を含む）を決定するために、タッチ感知式ディスプレイ３００から入力を受け取ってこれに出力する。ユーザの飲料の選択（任意の添加物を含む）が決定されると、タッチ感知式ディスプレイコントローラ２０２は、飲料ディスペンサコントローラ２０１と通信し、順次、適切なポンプ１４０および分注バルブ１１５を制御して、選択された飲料を移送する。飲料ディスペンサコントローラ２０１およびタッチ感知式ディスプレイコントローラ２０２が所望の飲料および添加物を移送するために、タッチ感知式ディスプレイコントローラ２０２は、飲料分注システム５０から分注するのに適した全ての飲料に関する情報を含む飲料ファイルにアクセスしなければならない。図１７は、タッチ感知式ディスプレイコントローラ２０２用にメモリ２１３内に格納された飲料情報ファイルを示している。詳細には、飲料情報ファイルには、飲料名（例えば、コカコーラ（商標）、スプライト（商標）など）、飲料に関連するグラフィック、飲料の水とシロップとの比率、飲料の水のタイプ（例えば、炭酸水または真水）、飲料の栄養情報、飲料の利用可能なレシピ（例えば、飲料の注出中に供給のために利用可能な添加物）、および、飲料の関連する対象（これは、タッチ感知式ディスプレイ３００に表示するためのアイコンである）が含まれる。分注バルブ１１５から分注するために飲料が選択されるとすぐに、タッチ感知式ディスプレイコントローラ２０２は、関連するグラフィックを有する正しいアイコンと、利用可能な添加物と、をタッチ感知式ディスプレイ３００に表示するために、飲料用の飲料情報ファイルにアクセスする。さらに、タッチ感知式ディスプレイコントローラ２０２は、正しい飲料供給情報（例えば、水とシロップとの比率）を飲料ディスペンサコントローラ２０１に提供するために、飲料用の飲料情報ファイルにアクセスする。
【００２５】
タッチ感知式ディスプレイ３００は、ユーザと飲料分注システム５０との間のインタフェースを提供する。タッチ感知式ディスプレイ３００は、接触（例えば、ユーザの指から）に基づいてユーザが飲料の選択（すなわち「入力」）を行うことができるタッチ感知面を提供し、グラフィックの「出力」も表示する。タッチ感知式ディスプレイ３００に表示されるグラフィックの「出力」は、ユーザが飲料を選択する助けとなり、また、必要な場合には、ベンダーに広告機能を提供する。本発明の好ましい実施形態では、タッチ感知式ディスプレイ３００は、ユーザからの接触に応答して出力信号を生成する任意の適切なデバイス（例えば、抵抗式、容量式、または、表面音響波システム）である。ユーザからの接触すなわち入力がなされると、タッチ感知式ディスプレイ３００がタッチ感知式ディスプレイコントローラ２０２に信号を出力する。
【００２６】
飲料ディスペンサ１００は、飲料分注システム５０のための追加的なインタフェースとして、相互インタフェースボタン１２１を備えている。相互インタフェースボタン１２１は、タッチ感知式ディスプレイコントローラ２０２と電子的に通信して、飲料分注システム５０の完全な動作を可能にする。相互インタフェースボタン１２１は、飲料ディスペンサ１００のハウジング１１０上に配置され、エンドユーザがタッチ感知式ディスプレイ３００を使用できない場合、または、タッチ感知式ディスプレイ３００が動作不能になった場合に、エンドユーザが飲料分注システム５０を手動操作することを可能にする。例えば、エンドユーザが子供、または、車いすに乗った人である場合に、相互インタフェースボタン１２１は、タッチ感知式ディスプレイ３００よりも下方の飲料分注システム５０に配置されたインタフェースを提供する。
【００２７】
飲料分注システム５０は、タッチ感知式ディスプレイ３００とともに作用して、消費者を惹きつけ、ユーザが飲料の選択を行う助けとなるサウンドシステム６００を備えている。本実施形態では、サウンドシステム６００は、スピーカなどの任意の適切なサウンドデバイスである。サウンドシステム６００は、電子的に通信し、タッチ感知式ディスプレイコントローラ２０２によって制御される。潜在的な消費者に追加的な刺激を与えることによって、サウンドシステム６００は、操作者が広告、すなわち、消費者を飲料分注システム５０に惹きつける助けとなる。例えば、タッチ感知式ディスプレイ３００が広告の題材を出力している場合、サウンドシステム６００は、タッチ感知式ディスプレイ３００とともに作用して、音で潜在的な消費者を惹きつけることによって広告を強調する。さらに、サウンドシステム６００は、相互インタフェースボタン１２１とともに作用して飲料選択を案内し助けることによって、目が悪いエンドユーザを補助することができる。
【００２８】
飲料分注システム５０は、近接センサ４００を備えている。近接センサ４００の目的は、飲料分注システム５０に関係する近傍の消費者の存在または不在を検出することである。その結果、タッチ感知式ディスプレイコントローラ２０２は、タッチ感知式ディスプレイ３００を広告状態から飲料選択状態に移行させることができる。近接センサ４００は、任意の適切な手段（例えば、赤外線式、音響式または容量式の近接スイッチ）を使用して、近傍の消費者の存在または不在を検出する。近接センサ４００は、タッチ感知式ディスプレイコントローラ２０２と通信する。近接センサ４００が潜在的な消費者の存在または不在を検出すると、信号がタッチ感知式ディスプレイコントローラ２０２に送られる。タッチ感知式ディスプレイコントローラ２０２は、近接センサ４００からの信号を解釈して、タッチ感知式ディスプレイ３００を適切な状態におく。
【００２９】
飲料分注システム５０は、飲料分注システム５０の構成要素に電力を供給するために、任意の適切な源（例えば、標準的なコンセント）に接続され、そこから電力を受け取る。このため、飲料分注システム５０は、飲料分注システム５０の構成要素に、それらに必要な電圧レベルおよび電流レベルを供給する電力分配デバイス（例えば、調整器、整流器、変圧器）を備えている。
【００３０】
タッチ感知式ディスプレイ３００上に提供されるグラフィカルユーザインタフェースによって、ユーザは、飲料分注システム５０を操作することができる。飲料分注システム５０のＧＵＩは、飲料選択処理を通じてユーザを案内するためにグラフィカルアイコンを使用する。本実施形態では、これらのグラフィカルアイコンは、三次元の強調表示される領域であり、飲料の選択が特有で楽しいものとすることができるインタフェースを提供するために、カップのグラフィカル表示などの使いやすい形状である。ユーザがタッチ感知式ディスプレイ３００上に表示されたグラフィカルアイコンを操作する場合、グラフィカルアイコンは、タッチ感知式ディスプレイコントローラ２０２と直接的に通信することができる。ＧＵＩの操作は、以下で説明する。
【００３１】
ユーザがタッチ感知式ディスプレイ３００上に表示されたグラフィカルアイコンを選択する場合、信号がタッチ感知式ディスプレイコントローラ２０２に送信される。タッチ感知式ディスプレイコントローラ２０２内のメモリ２１３内のプログラムは、コマンド入力としての、タッチ感知式ディスプレイ３００からの信号を解釈する。タッチ感知式ディスプレイコントローラ２０２は、ユーザからのコマンド入力を分析して、各々の入力の特質を決定する。これには、タッチ感知式ディスプレイ３００上の影響領域のサイズ、形状および位置が含まれる。さらに、タッチ感知式ディスプレイコントローラ２０２は、ユーザからの移動を分析する。例えば、ユーザがタッチ感知式ディスプレイ３００に沿って指を移動させると、タッチ感知式ディスプレイコントローラ２０２は、コマンド入力の始点と終点との違いを計算する。コマンド入力を解釈した後、タッチ感知式ディスプレイコントローラ２０２は、今度は、ＧＵＩを修正するとともにユーザの飲料選択を補助する信号をタッチ感知式ディスプレイ３００に出力する。タッチ感知式ディスプレイコントローラ２０２からの出力の例には、飲料選択画面から飲料選択後の注出画面へ変更すること、または、ユーザからの入力に応答してタッチ感知式ディスプレイ３００上のグラフィカルアイコンを移動させることが含まれる。
【００３２】
飲料分注システム５０のＧＵＩには、広告状態、飲料選択状態、注出状態、補助状態およびメンテナンス状態が含まれ、これらの状態は、タッチ感知式ディスプレイ３００上に提供される。図５は、広告状態内の例の画面である広告画面８００を示している。好ましい実施形態では、広告状態は、ＧＵＩのデフォルト状態である。広告状態は、広告を提供するとともに近くの消費者の注意を獲得するために、サウンドシステム６００を介して与えられるオーディオと、タッチ感知式ディスプレイ３００上に表示されるビデオと、を使用する、図６は、飲料選択状態内の例の画面である飲料選択画面８０１を示している。飲料選択状態は、カップまたは他の任意の適切な飲料容器（例えば、缶またはボトル）としてグラフィカルに表される飲料の選択肢を表示するメニューをユーザに提示する。ユーザは、それらの飲料の選択肢を表すカップを選択することによって、飲料の選択を行うことができる。図７は、注出状態内の例の画面である注出画面８０２を示している。注出状態によって、ユーザは、それらの飲料に注出される追加的な添加物を選択すること、飲料選択状態に戻ること、または、それらの選択肢の飲料を抽出することができる。図８ａ〜８ｃは、飲料選択補助状態内の例の画面である飲料選択補助画面８０３〜８０５を示しており、図９ａ〜９ｅは、注出補助状態内の例の画面である注出状態補助画面８０６〜８１０を示している。飲料選択補助状態および注出補助状態は、アニメーションを使用して、飲料分注システム５０のＧＵＩをどのように操作するかを実演する。具体的には、飲料選択補助状態および注出補助状態は、アニメーションの手を使用して、ＧＵＩを操作して、飲料および添加物をどのように選択して飲料を注出するのかを実演する。図１８ａ〜１８ｆは、メンテナンス状態内の例の画面であるメンテナンス画面を示している。メンテナンス状態によって、技術者は、飲料分注システム５０についての診断を行うことができるとともに、飲料分注システム５０のための操作パラメータ（例えば、飲料および添加フレーバなど）を入力することができる。飲料分注システム５０は、近接センサ４００またはユーザ入力に基づいて広告状態から飲料選択状態に遷移する。飲料分注システム５０は、ユーザ入力、または、メモリ２１３内に配置された計時プログラムの経過に基づいて飲料選択状態と注出状態と補助状態との間を遷移する。さらに、飲料分注システム５０は、メモリ２１３内に配置された全体的な計時プログラムの経過に基づいて飲料選択状態、注出状態および補助状態から広告状態に遷移する。飲料分注システム５０は、技術者の入力に基づいてメンテナンス状態５０４に遷移する。
【００３３】
上述したように、広告状態は、飲料分注システム５０のデフォルト状態である。ユーザが飲料分注システム５０に近づくと、ユーザには、図５に示される広告画面８００が提示される。広告画面８００は、広告を表示するとともに、サウンドシステム６００と組み合わされて動作し、ユーザの注意を惹きつける。広告画面８００には、「画面をタッチして開始してください」との言葉が含まれる。この言葉は、ユーザにタッチ感知式ディスプレイ３００をタッチし、したがって、飲料分注システム５０を操作することを勧める。ユーザが、近接センサ４００の範囲内に来ると、または、接触によってタッチ感知式ディスプレイ３００を起動させると、飲料分注システム５０は、広告状態を抜けて飲料選択状態に入る。飲料分注システム５０を広告状態から飲料選択状態に遷移させるための、近接センサ４００とタッチ感知式ディスプレイコントローラ２０２とタッチ感知式ディスプレイ３００との相互作用は、本明細書より詳細に説明する。
【００３４】
飲料選択状態に遷移すると、タッチ感知式ディスプレイコントローラ２０２は、飲料分注システム５０のタッチ感知式ディスプレイ３００を制御して、図６に示される飲料選択画面８０１を表示させる。飲料選択画面を表示するために、タッチ感知式ディスプレイコントローラ２０２は、正しい関連オブジェクトおよび飲料グラフィックが表示されるように、飲料分注システム５０の各々の飲料に関する飲料情報ファイルにアクセスする。本実施形態では、飲料選択画面８０１は、飲料ディスペンサ１００から注出するための飲料をユーザが選択することを可能にするカップアイコンの表示の形態の関連オブジェクトを有している。しかも、飲料選択画面８０１によって表示されるカップアイコンは、様々な飲料のうちの選択肢を表す飲料グラフィックを備えている。例えば、カップアイコンは、特定の飲料銘柄のラベル（例えば、Ｃｏｋｅ（商標）、Ｓｐｒｉｔｅ（商標）、ＤｒＰｅｐｐｅｒ（商標）、Ｐｏｗｅｒａｄｅ（商標）など）を表示する。飲料選択画面８０１内のカップアイコンは、飲料分注システム５０についての技術者が用途に応じて銘柄およびカップの数を変更することができる点においてプログラム可能である。好ましい実施形態は、カップアイコンを使用するが、当業者は、他の適切な飲料容器（例えば、缶またはボトル）のアイコンを使用することができることを認識するであろう。
【００３５】
好ましい実施形態における飲料選択画面８０１は、飲料選択を表す１６個のカップアイコンを備えている。カップアイコンは、位置１に配置された飲料選択位置を含む１６の位置を有する円形パターンを通って時計回りまたは反時計回りに配置され移動可能である。本発明の好ましい実施形態は１６個のカップアイコンを備えているが、当業者は、より多い、または、より少ない飲料選択を表すより多い、または、より少ないカップアイコンが用途に応じて追加または除去されてもよいことを理解すべきである。分注のために飲料を選択するために、ユーザは、まず、飲料の選択肢を表すカップアイコンを飲料選択位置に移動させ、続いて、選択入力（好ましい実施形態では、カップアイコンをタップすることである）を行わなければならない。ユーザの飲料選択を補助するために、カップアイコンのグラフィックのサイズが位置に応じて大きくなるか小さくなる。飲料選択位置（位置１）に配置されたカップアイコンのグラフィックのサイズは、ユーザの前に、最も大きく、最も目立って表示され、一方、位置９に配置されるカップアイコンは、最も小さい。カップアイコンが飲料選択位置（位置１）から離れる方向に位置９に向けて移動されると、カップアイコンのグラフィックのサイズは小さくされる。
【００３６】
図１０ａ〜１０ｃは、飲料選択画面８０１の各位置間でのカップアイコンの移動の例を提示している。詳細には、図１０ａ〜１０ｃは、位置３に配置されたカップアイコン３によって表される飲料の選択肢の選択を示している。位置３に配置されたカップアイコン３を飲料選択位置（位置１）まで移動させるために、ユーザは、まず、図１０ａに示されるようにカップアイコン３をタッチする。次いで、ユーザは、カップアイコン３が飲料選択位置（位置１）に到達するまでカップアイコン３を時計回りにドラッグすることによって、位置３に配置されたカップアイコン３を飲料選択位置（位置１）まで移動させる。図１０ｂおよび図１０ｃに示されるように、カップアイコン３は、まず、位置３から位置２に移動し、続いて、位置２から飲料選択位置（位置１）まで移動する。カップアイコン３が位置３から位置２まで移動すると、カップアイコン３のグラフィックのサイズは、大きくなる。同様に、カップアイコン３が位置２から位置１まで移動すると、カップアイコン３のグラフィックのサイズは、再び大きくなり、その最大グラフィックサイズに達し、ユーザの前に目立って表示される。
【００３７】
上述の移動の例に加えて、ユーザは、カップアイコンを飲料選択位置（位置１）まで直接的に移動させることができる。図１１ａ〜１１ｃは、ユーザがカップアイコンを飲料選択画面８０１の他の位置から飲料選択位置（位置１）まで直接的にどのように移動させることができるかの例を提示している。詳細には、図１１ａ〜１１ｃは、位置３に配置されたカップアイコン３によって表される飲料の選択肢を直接的に選択する様子を示している。位置３に配置されたカップアイコン３を飲料選択位置（位置１）まで直接的に移動させるために、ユーザは、まず、図１１ａに示されるように、カップアイコン３にタッチする。図１１ｂおよび図１１ｃに示されるように、カップアイコン３は、まず、位置３から位置２まで移動し、続いて、位置２から飲料選択位置（位置１）まで移動する。カップアイコン３が位置３から位置２まで移動すると、カップアイコン３のグラフィックのサイズは大きくなる。同様に、カップアイコン３が位置２から位置１まで移動すると、カップアイコン３のグラフィックのサイズは、再び大きくなり、その最大グラフィックサイズに達して、ユーザの前に目立って表示される。特定の飲料選択を飲料選択位置へ移動させるためのタッチ感知式ディスプレイコントローラ２０２とタッチ感知式ディスプレイ３００との相互作用は、本明細書においてさらに詳細に説明する。
【００３８】
図１２ａ，１２ｂは、ユーザ選択入力中に表示される画面を示している。図１２ａに示されるように、カップアイコン３が飲料選択位置に配置されると、ユーザは、カップアイコン３をタップすることによって選択入力を行う。ユーザが選択入力を行った後、タッチ感知式ディスプレイ３００は、図１２ｂに示されるように予め定められた期間の間、ユーザの飲料選択を表示する。予め定められた期間（好ましい実施形態では１秒）が経過すると、飲料分注システム５０は、図７に示されるように、飲料選択状態から注出状態まで遷移する。飲料選択状態内で特定の飲料を選択するためのタッチ感知式ディスプレイコントローラ２０２とタッチ感知式ディスプレイ３００との相互作用は、本明細書でより詳細に説明する。
【００３９】
飲料分注システム５０が飲料選択状態から注出状態に遷移すると、タッチ感知式ディスプレイ３００は、図７に示される注出画面８０２を表示する。好ましい実施形態では、注出画面８０２は、タッチ感知式ディスプレイ３００の中央にユーザの飲料選択を目立って表示し、ユーザに分注および制御のオプションを提示する。注出画面８０２は、飲料選択状態に戻ること、分注される飲料に含めるための２つまでの様々な添加物を選択すること、または、飲料選択状態から単独でまたは添加物とともに選択された飲料を分注することの選択肢をユーザに与える。ユーザに提示される上述の選択肢に加えて、注出状態は、広告と、特定の飲料と混合するためのお勧めの添加物と、を表示する。広告は、ユーザの注意を惹きつけるために、タッチ感知式ディスプレイ３００の頂部を横切ってスクロールし、お勧めの添加物がユーザの飲料選択の隣に表示される。例えば、Ｃｏｋｅ（商標）のユーザ選択に応答して、Ｖａｎｉｌｌａを有するＣｏｋｅ（商標）、Ｃｈｅｒｒｙを有するＣｏｋｅ（商標）などが添加物選択画面に表示される。
【００４０】
注出状態に入って注出画面８０２が提示された後、ユーザは、それらの飲料選択を放棄して飲料選択状態に戻るために選択することができる。飲料選択状態５０１に戻るために、ユーザは、「バック」と記されたＧＵＩの領域内でタッチ感知式ディスプレイ３００を触る。注出画面８０２内の「バック」の選択は、飲料分注システム５０を飲料選択状態に戻し、図６に示されるように飲料選択画面８０１を表示する。
【００４１】
注出状態によって、ユーザは、それらの飲料とともに分注するための添加物を選択することができる。好ましい実施形態では、ユーザは、添加物の４つの選択肢を提示さる。それらの飲料のために、この選択肢のうちの２つまで選択することができる。添加物の４つの選択肢と添加物の２つの選択があるが、より多い、または、より少ない添加物の選択肢および添加物の選択が用途に応じて組み入れられてもよいことに留意されたい。ＧＵＩ内で添加物が、添加物のグラフィカルアイコンとしてユーザに提示される。例えば、フレーバチェリーがチェリーのグラフィカルアイコンとして表される。添加物の４つの選択肢は、それらのグラフィカルアイコンに関連する追加記号を有している。添加物を選択するために、ユーザは、それらの選択された添加物のグラフィカルアイコンをタッチする。
【００４２】
図１３〜１６ｂは、ユーザが、分注される飲料に含まれるための２つの添加物を選択する場合のＧＵＩの例を示している。それらの第１の添加物を選択するために、ユーザは、図１３に示されるように、それらの選択された添加物のグラフィカルアイコンをタッチする。図１４に示されるように、ＧＵＩは、２つに態様で変更され、選択された添加物に関連付けられた追加（プラス）記号が、除去（マイナス）記号になり、選択された添加物のアニメーションがユーザに選択された飲料のまわりを回転する。それらの第２の添加物を選択するために、ユーザは、図１５に示されるように、それらの選択された添加物に関連付けられたグラフィカルアイコンをタッチする。図１６ａに示されるように、ユーザが第２の添加物を選択した後、ＧＵＩは、３つの態様で変更され、ユーザの第２の添加物選択のアニメーションが第１の添加物選択と一緒に、ユーザに選択された飲料のまわりを回転し、選択された第２の添加物に関連付けられた追加記号が除去記号になり、残りの添加物追加記号が消えて、添加物の選択を行えないことを表示する。
【００４３】
選択された飲料に含められるための添加物を選択した後、ユーザは、選択された任意の添加物選択を消去する選択肢を有している。選択された添加物選択を消去するために、ユーザは、選択された添加物に関連付けられたグラフィカルアイコンをタッチする。グラフィカルアイコンをタッチした後、ＧＵＩは、変更されて、選択解除された添加物をユーザに選択された飲料のまわりの回転から除く。さらに、ＧＵＩは、変更されて、選択解除された添加物に関連付けられた追加記号を表示する。
【００４４】
注出状態は、添加物とともに、または、添加物なしで飲料を分注する選択肢をユーザに与える。ユーザが添加物を含めるか否かを決定すると、注出状態によって、ユーザは、それらの選択された飲料を分注することができる。図１６ｂに示されるように飲料選択を分注するために、ユーザは、それらのカップをノズル１１６の下に配置し、「注出」と記されたＧＵＩの領域内でタッチ感知式ディスプレイ３００を触る。ユーザが「注出」領域を触ったとき、飲料ディスペンサ１００は、単独で、または、選択された任意の添加物とともに、選択された飲料の分注を開始する。好ましい実施形態では、選択された燃料を分注するために連続的なユーザ入力が求められる。このように、ユーザは、カップが所望のレベルまで満たされるまで、「分注」アイコンを触り続けなければならない。しかしながら、飲料分注システム５０は、メモリ２１３内の分注計時プログラムを備えている。このプログラムは、飲料が溢れることを防止する。詳細には、ユーザが「分注」アイコンを触ると、タッチ感知式ディスプレイコントローラ２０２は、分注計時プログラムを開始する。その結果、分注計時プログラムが経過する前に、「分注」アイコンへの接触が中止されなければ、タッチ感知式ディスプレイコントローラ２０２は、飲料ディスペンサコントローラ２０２に分注中止コマンドを出力し、それによって、さらなる分注を阻止し、ユーザが選択した飲料が溢れるのを阻止する。好ましい実施形態では選択された飲料を分注するために連続的なユーザ入力が必要となるが、当業者は、所望の量の飲料を供給する他の機構（例えば、タイマー）を理解できるであろう。
【００４５】
ユーザが、それらのカップを回収し、飲料分注システム５０から離れる方向に移動させた後、次のユーザが、以前のユーザの場所につき、飲料を分注することができる。新たなユーザは、「バック」と記されたＧＵＩの領域内でタッチ感知式ディスプレイ３００を触る。注出画面８０２内の「バック」を選択すると、以前のユーザの飲料および添加物の選択が消え、新たなユーザを飲料選択状態に戻す。新たなユーザが飲料選択状態に戻った後、上述したように、飲料、添加物を選択するとともにそれらの飲料選択を分注するための処理が続く。あるいは、新たなユーザがいない場合には、飲料分注システム５０は、本明細書で説明するように、全体の計時プログラムが経過した際に広告状態に戻る。添加物を選択して選択された飲料を分注するとともに飲料選択状態または広告状態に戻るための、タッチ感知式ディスプレイコントローラ２０２とタッチ感知式ディスプレイ３００と飲料ディスペンサコントローラ２０１との相互作用は、本明細書でより詳細に説明する。
【００４６】
飲料分注システム５０は、タッチ感知式ディスプレイ３００上に表示される飲料選択補助状態および注出補助状態を備えている。飲料選択補助状態および注出補助状態は、グラフィカルアニメーションを使用して、飲料分注システム５０のＧＵＩの操作をユーザに案内する。具体的には、飲料選択補助状態および注出補助状態は、飲料、添加物を選択するとともに飲料を分注するためのＧＵＩの操作を実演するアニメーションの手を使用する。例えば、飲料選択状態において、飲料選択補助状態は、カップアイコンを移動させて飲料を選択するアニメーションの手を表示する。図８ａ〜８ｃは、飲料選択状態内で飲料を選択するアニメーションの手を表示する、飲料選択補助状態内の例の補助画面８０３〜８０５を示している。飲料分注システム５０が注出状態にある場合、注出補助状態は、添加物を選択するとともに選択された飲料を分注するアニメーションの手を表示する。図９ａ〜９ｃは、注出状態内で選択された飲料を分注するアニメーションの手を表示する、注出補助状態内の補助画面８０６〜８１０を示している。
【００４７】
一例では、タッチ感知式ディスプレイ３００は、メモリ２１３内に格納された計時プログラムが経過後に、広告状態から飲料選択補助状態に遷移する。さらに、タッチ感知式ディスプレイ３００は、ユーザが８秒の間入力を行うことなく飲料分注システム５０のところに留まっている場合に、飲料選択状態または注出状態から飲料選択補助状態または注出補助状態に遷移する。あるいは、タッチ感知式ディスプレイ３００は、タッチされた場合にタッチ感知式ディスプレイ３００が飲料選択補助状態または注出補助状態に遷移することになる飲料選択状態および注出状態の両方において「？」アイコンを備えていてもよい。タッチ感知式ディスプレイ３００は、ユーザが入力を開始するまで、または、メモリ２１３内の補助状態計時プログラムが経過するまで、飲料選択補助状態または注出補助状態に留まる。ユーザ入力が検出された場合、または、補助状態計時プログラム内のタイマーが経過した場合、タッチ感知式ディスプレイ３００は、飲料選択補助状態または注出補助状態を抜けて、広告状態、飲料選択状態または注出状態に戻る。タッチ感知飲料分注システム５０が飲料選択状態または注出状態から飲料選択補助状態または注出補助状態に遷移する場合の式ディスプレイ３００とタッチ感知式ディスプレイコントローラ２０２との相互作用は、本明細書でより詳細に説明する。
【００４８】
タッチ感知式ディスプレイ３００は、メモリ２１３内の全体の計時プログラムが経過した際に、飲料選択状態および注出状態から広告状態に戻る。メモリ２１３内の全体の計時プログラムが経過すると、飲料分注システム５０は、広告状態に戻り、図５に示される広告画面８００のような画面を表示する。飲料分注システム５０が飲料選択状態および注出状態から広告状態に遷移する場合の全体の計時プログラムとタッチ感知式ディスプレイコントローラ２０２とタッチ感知式ディスプレイ３００との相互作用は、本明細書でより詳細に説明する。
【００４９】
飲料分注システム５０は、メンテナンス状態を備えている。メンテナンス状態よって、技術者は、飲料分注システム５０内の設定を確認するとともに変更することができる。本発明の好ましい実施形態では、メンテナンス状態は、予め定められた位置で技術者がタッチ感知式ディスプレイ３００をタッチしてパスコードを入力することによって、飲料選択状態または注出状態においてアクセスされる。好ましい実施形態では、技術者は、タッチ感知式ディスプレイ３００の角部をタッチして、メンテナンス状態にアクセスする。図１８ｂは、技術者がタッチ感知式ディスプレイ３００の角部を選択した後に技術者に提示されるアクセスコード画面を示している。図１８ａは、正しいアクセスコードが入力された後に技術者に提示されるメンテナンス状態のメインメニュー画面の例を示している。好ましい実施形態にしたがったメンテナンス状態のメインメニュー画面は、サービスメニューアイコン、プレイリストアイコン、システムセットアップアイコン、ユーザインタフェースアイコン、使用アイコン、チュートリアルアイコンおよび終了アイコンを備えている。
【００５０】
メインメニュー画面を介して技術者に提示される選択は、飲料分注システム５０のための利用可能なメンテナンスの選択肢と、技術者が利用可能なメンテナンス操作をどのように行うかを実演する教育ビデオと、を技術者に提供する。例えば、サービスメニューアイコンの選択は、図１８ｄに示されるサービス画面を表示し、それによって、技術者は、飲料分注システム５０を設定することができる。例として、技術者は、特定のバルブを特定の銘柄に割り当てることができるとともに、カップアイコンがその銘柄を表すようにディスプレイ３００を設定することができる。プレイリストアイコンを選択すると、図１８ｅに示されるプレイリスト画面が表示され、それによって、技術者は、広告状態中にユーザに提示されるビデオおよびオーディオを制御することができる。システムセットアップアイコンを選択すると、図１８ｃに示されるシステムセットアップ画面が表示され、技術者は、飲料分注システム５０を初期化することができる。好ましい実施形態における初期化の例には、分注バルブの数、ひいては、飲料分注システム５０からの分注に関して利用可能な銘柄の数、および、制御システム２００と、飲料分注システム５０の残りの構成部品と、の通信の開始を定めることが含まれる。使用アイコンを選択することによって、図１８ｆに示される使用画面が表示される。使用画面は、飲料分注システム５０からの分注データ（例えば、分注された飲料および添加シロップの料）を技術者に提示する。チュートリアルアイコンを選択することによって、技術者が利用可能なチュートリアルビデオのリストが表示される。このチュートリアルビデオは、飲料分注システム５０に関しての所定のメンテナンス作業をどのように行うか（例えば、特定のバルブを特定の銘柄にどのように割り当て、ディスプレイ３００をどのように設定して銘柄を表すカップアイコンを表示するか）を実演する。終了アイコンを選択することによって、飲料分注システム５０が元の状態（好ましい実施形態では、飲料選択状態または注出状態）に戻される。飲料分注システム５０がメンテナンス状態に入ったときのタッチ感知式ディスプレイ３００とタッチ感知式ディスプレイコントローラ２０２との相互作用は、本明細書でより詳細に説明する。
【００５１】
タッチ感知式ディスプレイ３００に加えて、ユーザは、図２に示される相互インタフェースボタン１２１を使用して分注システム５０を操作することができる。相互インタフェースボタン１２１は、３つの操作ボタン、すなわち、右矢印ボタン、左矢印ボタンおよび動作ボタンを備えている。上述したように、ＧＵＩのデフォルト状態は、広告状態である。タッチ感知式ディスプレイコントローラ２０２は、近接センサ４００によってユーザを検知することによって、または、ユーザが相互インタフェースボタン１２１のうちの１つをタッチすることによって、タッチ感知式ディスプレイ３００を広告状態から飲料選択状態に遷移させる。相互インタフェースボタン１２１は、飲料および添加物を選択して、選択された飲料を分注するために、タッチ感知式ディスプレイ３００と協働して働く。右矢印ボタンおよび左矢印ボタンによって、ユーザは、様々な選択肢を強調表示することができ、あるいは、所与の状態内のアイコンを操作することができる。ユーザが右矢印ボタンまたは左矢印ボタンを押すと、所与の状態内のアイコンは強調表示されるか、あるいは、移動される。例えば、ユーザが飲料選択状態にあるとき、右矢印ボタンはカップアイコンを右に回転させ、一方、左矢印ボタンはカップアイコンを左に回転させる。飲料を選択するために、ユーザは、カップを飲料選択位置（位置１）に回転させて、動作ボタンを押す。それによって、飲料フレーバが選択され、タッチ感知式ディスプレイ３００が注出状態に遷移する。ユーザが注出状態にあるとき、右矢印ボタンを押すと、アイコンが、注出画面８０２内の現在強調表示されているアイコンの右に強調表示される。左矢印ボタンを押すと、アイコンが、注出画面８０２内の現在強調表示されているアイコンの左に強調表示される。ユーザが注出状態にあるとき、動作ボタンによって、ユーザは、強調表示された添加物を選択するとともにそれらの選択された飲料を分注することができる。
【００５２】
グラフィカルユーザインタフェースの提示および使用を説明したので、グラフィカルユーザインタフェースを生成して飲料を注出するための制御システム２００の動作を図１９〜２３を参照して説明する。図１９〜２３では、ダイヤモンド形のブロックは決定機能を表しており、矩形のブロックは、処理および制御機能を表している。
【００５３】
タッチ感知式ディスプレイコントローラ２０２は、広告状態において開始され、飲料分注システム５０の動作中に近接センサ４００、タッチ感知式ディスプレイ３００および相互インタフェースボタン１２１を連続的に監視して、ユーザが飲料分注システム５０のところにぞんざいするか否かを決定する。図１９は、タッチ感知式ディスプレイコントローラ２０２、近接センサ４００、タッチ感知式ディスプレイ３００および相互インタフェースボタン１２１の間での相互作用を示すフローチャートである。タッチ感知式ディスプレイコントローラ２０２は、ステップ９００で開始され、ステップ９００では、タッチ感知式ディスプレイコントローラ２０２は、タッチ感知式ディスプレイ３００にコマンドを出力して、タッチ感知式ディスプレイ３００に、図５に示されるような広告画面を表示する指示を行う。さらに、タッチ感知式ディスプレイコントローラ２０２は、サウンドシステム６００を起動するコマンドを出力する。タッチ感知式ディスプレイコントローラ２０２は、ステップ１０００に進み、近接センサ４００が、ユーザが存在することを表す信号を出力しているかを決定する。近接センサ４００が信号を出力していれば、タッチ感知式ディスプレイコントローラ２０２は、ステップ１００３に進む。そうでなく、ユーザが存在しなければ、タッチ感知式ディスプレイコントローラ２０２は、ステップ１００１に進む。ステップ１００１では、タッチ感知式ディスプレイコントローラ２０２は、ユーザがタッチ感知式ディスプレイ３００にタッチしているか否かを決定する。ユーザがタッチ感知式ディスプレイ３００にタッチしていれば、タッチ感知式ディスプレイコントローラ２０２は、ステップ１００３に進み、そうでなければ、タッチ感知式ディスプレイコントローラ２０２は、ステップ１００２に進む。ステップ１００２では、タッチ感知式ディスプレイコントローラ２０２は、ユーザが相互インタフェースボタン１２１のうちの１つを押しているかを決定する。ユーザが相互インタフェースボタン１２１のうちの１つを押していれば、タッチ感知式ディスプレイコントローラ２０２は、ステップ１００３に進み、そうでなければ、タッチ感知式ディスプレイコントローラ２０２は、ステップ１００５に進む。
【００５４】
上述したように、タッチ感知式ディスプレイコントローラ２０２は、近接センサ４００を起動させるユーザの存在、タッチスクリーン３００をタッチしているユーザ、または、相互インタフェースボタン１２１のうちの１つを押しているユーザのうちの１つに反応してステップ１００３に進む。ステップ１００３に進むと、タッチ感知式ディスプレイコントローラ２０２は、図５に示されるような、タッチ感知式ディスプレイ３００上の画面を表示することを中止することによって、タッチ感知式ディスプレイ３００上の広告状態を終了する。さらに、タッチ感知式ディスプレイコントローラ２０２は、サウンドシステム６００の音を消す。ステップ１００３において広告状態を終了した後、タッチ感知式ディスプレイコントローラ２０２は、ステップ１００４に進んで、飲料選択状態を開始する。これについては、図２２を参照して本明細書で説明する。
【００５５】
タッチ感知式ディスプレイコントローラ２０２がステップ１００２からステップ１００５に進むと、ステップ１００５においてタッチ感知式ディスプレイコントローラ２０２は、予め定められた期間（好ましい実施形態では５分）が広告状態内で経過しているか否かを決定する。予め定められた期間が経過していれば、タッチ感知式ディスプレイコントローラ２０２は、ステップ１００６に進み、そうでなければ、タッチ感知式ディスプレイコントローラ２０２は、近接センサ４００、タッチ感知式ディスプレイ３００、および、ユーザ入力用の相互インタフェースボタン１２１の監視を継続するために、ステップ１０００に戻る。タッチ感知式ディスプレイコントローラ２０２がステップ１００５からステップ１００６に進むと、ステップ１００６においてタッチ感知式ディスプレイコントローラ２０２は、上述したようにタッチ感知式ディスプレイ３００上の広告状態を終了する。広告状態を終了した後、タッチ感知式ディスプレイコントローラ２０２は、ステップ１００７に進み、飲料分注システム５０のための補助状態に入る。補助状態については、図２２を参照して本明細書で説明する。次いで、タッチ感知式ディスプレイコントローラ２０２は、近接センサ４００、タッチ感知式ディスプレイ３００、および、ユーザ入力用の相互インタフェースボタン１２１の監視を継続するために、ステップ１０００に戻る。
【００５６】
図２０は、飲料分注システム５０が飲料選択状態にある場合の、タッチ感知式ディスプレイコントローラ２０２とタッチ感知式ディスプレイ３００との間の相互作用を示している。タッチ感知式ディスプレイコントローラ２０２は、ステップ１００４において、図６に示される飲料選択画面８０１を表示するようにタッチ感知式ディスプレイ３００に指示することによって、飲料選択状態を開始する。さらに、タッチ感知式ディスプレイコントローラ２０２は、飲料選択補助状態計時プログラムおよび飲料選択状態全体計時プログラムをリセットする。飲料分注システム５０が飲料選択状態にあるとき、タッチ感知式ディスプレイコントローラ２０２は、ユーザがタッチ感知式ディスプレイ３００をタッチした結果として生成される信号（単数または複数）の形態の出力に関してタッチ感知式ディスプレイ３００を監視する。さらに、タッチ感知式ディスプレイコントローラ２０２は、メモリ２１３内の計時プログラムを使用して、タッチ感知式ディスプレイ３００からの出力がないことに利用可能である時間を制限する。計時プログラムは、最初のユーザのタイムアウトと、全体タイムアウトと、のための時間を監視する。
【００５７】
好ましい実施形態では、飲料選択状態におけるタッチ感知式ディスプレイ３００からの出力は、カップアイコンとして表される所望の飲料の位置を移動させるユーザの画面要求、または、抽出するための所望の飲料のユーザの画面選択、または、補助アイコンのユーザ選択である。カップアイコンを移動させる要求は、ユーザが指（単数または複数）をタッチ感知式ディスプレイ３００に沿って移動させることを必要とし、要求の処理には、タッチ感知式ディスプレイコントローラ２０２が移動の始点と終点とを計算することを伴う。あるいは、カップアイコンを移動させる要求は、ユーザがタッチ感知式ディスプレイ３００をカップアイコンのところでタップすることを必要とし、要求の処理には、タッチ感知式ディスプレイコントローラ２０２がその現在の位置から飲料選択位置（位置１）までのカップアイコンの移動を計算することを伴う。飲料選択要求は、ユーザがタッチ感知式ディスプレイ３００を飲料選択位置（位置１）のところでタップすることを必要とし、要求の処理には、タッチ感知式ディスプレイコントローラ２０２がユーザの飲料選択を決定することを伴う。ユーザによる補助アイコンの選択は、ユーザがタッチ感知式ディスプレイ３００上の「？」アイコンをタッチすることを必要とする。
【００５８】
飲料選択状態が開始された後、タッチ感知式ディスプレイコントローラ２０２は、ステップ１００８に進む。ステップ１００８では、タッチ感知式ディスプレイコントローラ２０２は、ユーザがカップアイコンをタップすることに関してタッチ感知式ディスプレイ３００を監視する。ユーザがカップアイコンをタップしていなければ、タッチ感知式ディスプレイコントローラ２０２は、ステップ１０１０に進む。そうでなければ、つまり、ユーザがカップアイコンをタップしていれば、タッチ感知式ディスプレイコントローラ２０２は、ステップ１００９に進む。ステップ１００９では、タッチ感知式ディスプレイコントローラ２０２は、タッチ感知式ディスプレイ３００にコマンドを送信して、図１１ａ〜１１ｃを参照して上述したように、その現在の位置から飲料選択位置（位置１）へのカップアイコンの移動を実行する。カップアイコンを飲料選択位置（位置１）まで移動させるためにタッチ感知式ディスプレイ３００にコマンドを送信した後、タッチ感知式ディスプレイコントローラ２０２は、ユーザ入力に関してタッチ感知式ディスプレイ３００を継続して監視するために、ステップ１００８に戻る。
【００５９】
ステップ１０１０では、タッチ感知式ディスプレイコントローラ２０２は、ユーザによるカップアイコンの移動に関してタッチ感知式ディスプレイ３００を監視する。ユーザは、カップアイコンを選択してその指を右または左にスワイプすることによって、カップアイコンを移動させる。ユーザがカップアイコンを移動させていなければ、タッチ感知式ディスプレイコントローラ２０２は、ステップ１０１２に進む。そうでなければ、つまり、ユーザはカップアイコンを移動させ、タッチ感知式ディスプレイコントローラ２０２は、ステップ１０１１に進む。ステップ１０１１では、タッチ感知式ディスプレイコントローラ２０２は、ユーザによる移動の始点と終点とを計算する。移動を計算した後、タッチ感知式ディスプレイコントローラ２０２は、タッチ感知式ディスプレイ３００にコマンドを送信して、図１０ａ〜１０ｃを参照して上述したように、その現在の位置からユーザによって選択された位置へのカップアイコンの移動を実行する。カップアイコンをユーザが選択した位置まで移動させるためにタッチ感知式ディスプレイ３００へコマンドを送信した後、タッチ感知式ディスプレイコントローラ２０２は、ユーザ入力に関してタッチ感知式ディスプレイ３００を継続して監視するために、ステップ１００８に戻る。
【００６０】
飲料分注システム５０は、飲料選択状態からアクセス可能な飲料選択補助状態をユーザに提供する。飲料選択補助状態は、ユーザが補助アイコン「？」をタッチすることによって、または、メモリ２１３内の飲料選択補助状態計時プログラムについての固定時間を１度経過することによって、アクセス可能である。タッチ感知式ディスプレイコントローラ２０２は、ユーザ入力に関してタッチ感知式ディスプレイ３００を監視し、補助アイコン「？」がタッチされるか、あるいは、固定時間内にユーザ入力が検出されない場合に、タッチ感知式ディスプレイコントローラ２０２は、飲料分注システム５０を飲料選択補助状態に置く。好ましい実施形態では、飲料選択補助状態計時プログラムによって設定される固定時間は、８秒である。その結果、ステップ１０１２において、タッチ感知式ディスプレイコントローラ２０２は、補助アイコン「？」のタッチに関してタッチ感知式ディスプレイ３００を監視する。ユーザが補助アイコン「？」をタッチしていれば、タッチ感知式ディスプレイコントローラ２０２は、ステップ１００７に進み、そうでなければ、ユーザは補助アイコン「？」をタッチしておらず、タッチ感知式ディスプレイコントローラ２０２は、ステップ１０１４に進む。ステップ１０１４では、タッチ感知式ディスプレイコントローラ２０２は、ユーザがタッチ感知式ディスプレイ３００上で入力することなく固定時間（８秒）が経過しているか否かを決定するために、メモリ２１３内の計時プログラムを監視する。タッチ感知式ディスプレイコントローラ２０２内の計時プログラムが経過していれば、最初のユーザのタイムアウトが生じており、タッチ感知式ディスプレイコントローラ２０２は、ステップ１００７に進み、そうでなければ、タッチ感知式ディスプレイコントローラ２０２は、ステップ１０１５に進む。ステップ１００７では、タッチ感知式ディスプレイコントローラ２０２は、飲料選択状態を終了し、飲料分注システム５０についての補助状態に入る。これについては、図２２を参照して本明細書で説明する。完了し、次いで、飲料選択補助状態から戻った後、タッチ感知式ディスプレイコントローラ２０２は、タッチ感知式ディスプレイ３００を継続して監視するためにステップ１００８に戻る。この時点において、飲料選択補助状態計時プログラムが１度経過し、タッチ感知式ディスプレイコントローラ２０２は、ステップ１００４で飲料選択状態が新たに開始されるまで、ステップ１０１４からステップ１００７に入らない。
【００６１】
ステップ１０１５において、タッチ感知式ディスプレイコントローラ２０２は、図１２ａ，１２ｂを参照して上述したように、ユーザが飲料選択要求を実行しているか否かを決定するために、タッチ感知式ディスプレイ３００を監視する。ユーザが飲料選択要求を実行していなければ、タッチ感知式ディスプレイコントローラ２０２は、ステップ１０１９に進み、そうでなければ、ユーザは飲料選択要求を行い、タッチ感知式ディスプレイコントローラ２０２は、ステップ１０１６に進む。ステップ１０１６では、タッチ感知式ディスプレイコントローラ２０２は、ステップ１０１７に入る前に注出状態で使用するために、ユーザの飲料選択を記憶する。ステップ１０１７において、タッチ感知式ディスプレイコントローラ２０２は、図１２ｂに示される画面を表示するためのコマンドをタッチ感知式ディスプレイ３００に送信することによって、飲料選択状態を終了する。ステップ１０１７において飲料選択状態を終了した後、タッチ感知式ディスプレイコントローラ２０２は、ステップ１０１８に進み、注出状態を開始する。これについては、図２１を参照して本明細書で説明する。
【００６２】
ステップ１０１９において、タッチ感知式ディスプレイコントローラ２０２は、タッチ感知式ディスプレイコントローラ２０２内の全体タイムアウトが生じているか否かを決定する。メモリ２１３内の飲料選択状態全体計時プログラムのための固定時間が経過したとき、全体タイムアウトが生じる。好ましい実施形態では、飲料選択状態全体計時プログラムによって設定される固定時間は、１４秒である。通常は、飲料分注システム５０が全体タイムアウトの前に飲料選択補助状態を実行するように、飲料選択状態全体計時プログラムのための固定時間（１４秒）は、飲料選択補助状態計時プログラムのための固定時間（８秒）よりも長い。タッチ感知式ディスプレイコントローラ２０２は、全体タイムアウトが経過しているか否かを決定するために、メモリ２１３内の飲料選択状態全体計時プログラムを監視する。全体タイムアウトが生じていなければ、タッチ感知式ディスプレイコントローラ２０２は、タッチ感知式ディスプレイ３００を継続して監視するために、ステップ１００８に戻る。しかしながら、全体タイムアウトが生じていれば、タッチ感知式ディスプレイコントローラ２０２は、ステップ１０２０に進み、ステップ９００に入る前に飲料選択状態の終了を記録する。ステップ９００では、図１９を参照して本明細書で説明するように、タッチ感知式ディスプレイコントローラ２０２は、広告状態を開始する。
【００６３】
図２１は、飲料分注システム５０が注出状態にある場合の、タッチ感知式ディスプレイコントローラ２０２とタッチ感知式ディスプレイ３００との相互作用を示すフローチャートである。タッチ感知式ディスプレイコントローラ２０２は、ステップ１０１８を開始し、ステップ１０１８では、タッチ感知式ディスプレイコントローラ２０２は、図７に示される注出画面８０３を表示するようにタッチ感知式ディスプレイ３００に指示するコマンドをタッチ感知式ディスプレイ３００に出力する。さらに、タッチ感知式ディスプレイコントローラ２０２は、注出補助状態計時プログラムおよび注出状態全体計時プログラムをリセットする。飲料分注システム５０が注出状態にある場合、タッチ感知式ディスプレイコントローラ２０２は、ユーザがタッチ感知式ディスプレイ３００をタッチした結果として生成される信号（単数または複数）の形態の出力に関して、タッチ感知式ディスプレイ３００を監視する。さらに、タッチ感知式ディスプレイコントローラ２０２は、メモリ２１３内の計時プログラムを使用して、タッチ感知式ディスプレイ３００からの出力がないことに利用可能である時間を制限する。計時プログラムは、最初のユーザのタイムアウトと、全体タイムアウトと、のための時間を監視する。
【００６４】
好ましい実施形態では、注出状態におけるタッチ感知式ディスプレイ３００からの出力は、任意の選択された添加物を含む選択された飲料の注出のためのユーザの画面要求、任意の選択された添加物を含む選択された飲料の注出を中止するためのユーザの画面要求、ユーザの添加物画面選択、添加物を除外するためのユーザの画面要求、および、注出状態を終了するためのユーザの画面要求のうちの１つである。
【００６５】
注出状態を開始した後、タッチ感知式ディスプレイコントローラ２０２は、ステップ１０２１に進み、ユーザが注出要求を行っているか否かを決定するためにタッチ感知式ディスプレイ３００を監視する。ユーザは、図１２ａに示されるようにタッチ感知式ディスプレイ３００上の「注出」アイコンをタッチすることによって、注出要求を行う。ユーザが注出要求を行っていなければ、タッチ感知式ディスプレイコントローラ２０２は、ステップ１０２６に進み、そうでなければ、ユーザは、注出要求を行い、タッチ感知式ディスプレイコントローラ２０２は、ステップ１０２２に入る前に、メモリ２１３内の注出計時プログラムを開始する。好ましい実施形態では、注出計時プログラムは、オーバーフローを防止するように設計された予め定められた注出タイムアウト期間（７秒）である。ステップ１０２２において、タッチ感知式ディスプレイコントローラ２０２は、飲料ディスペンサコントローラ２０１に注出コマンドを出力する。注出コマンドには、ユーザの飲料選択および任意の添加物の選択が含まれる。それに応答して、飲料ディスペンサコントローラ２０１は、ユーザの飲料選択に関連付けられたバルブと、および任意の添加物の選択に関連付けられたバルブ（単数または複数）と、を起動させ、ユーザの飲料の注出を開始する。注出コマンドを出力した後、タッチ感知式ディスプレイコントローラ２０２は、ステップ１０２３に進み、ユーザが「注出」アイコンから接触を解除したか否かを決定するために、タッチ感知式ディスプレイ３００を監視する。ユーザが「注出」アイコンから接触を解除していれば、タッチ感知式ディスプレイコントローラ２０２は、ステップ１０２４に進み、そうでなければ、タッチ感知式ディスプレイコントローラ２０２は、ステップ１０２５に進む。ステップ１０２５では、タッチ感知式ディスプレイコントローラ２０２は、注出タイムアウトが経過しているか否かを決定するために、メモリ２１３内の注出計時プログラムを監視する。注出タイムアウトが生じていなければ、タッチ感知式ディスプレイコントローラ２０２は、注出を継続するためにステップ１０２２に戻り、次いで、タッチ感知式ディスプレイ３００を継続して監視するためにステップ１０２３に進む。しかしながら、注出タイムアウトが生じていれば、タッチ感知式ディスプレイコントローラ２０２は、ステップ１０２４に進む。ステップ１０２４（ここには、ステップ１０２３およびステップ１０２５の両方から入ることができる）では、タッチ感知式ディスプレイコントローラ２０２は、飲料ディスペンサコントローラ２０１に注出中止コマンドを出力する。これに応答して、飲料ディスペンサコントローラ２０１は、ユーザの飲料選択に関連付けられたバルブと、および任意の添加物の選択に関連付けられたバルブ（単数または複数）と、を停止させる。タッチ感知式ディスプレイコントローラ２０２は、メモリ２１３内の注出計時プログラムをリセットし、タッチ感知式ディスプレイ３００を継続して監視するために、ステップ１０２１に戻る。
【００６６】
飲料分注システム５０は、注出状態からアクセス可能な注出補助状態をユーザに提供する。注出補助状態は、ユーザが補助アイコン「？」をタッチすることによって、または、メモリ２１３内の注出補助状態計時プログラムについての固定時間を１度経過することによって、アクセス可能である。タッチ感知式ディスプレイコントローラ２０２は、ユーザ入力に関してタッチ感知式ディスプレイ３００を監視し、補助アイコン「？」がタッチされるか、あるいは、固定時間内にユーザ入力が検出されない場合に、タッチ感知式ディスプレイコントローラ２０２は、飲料分注システム５０を注出補助状態に置く。好ましい実施形態では、注出補助状態計時プログラムによって設定される固定時間は、８秒である。その結果、ステップ１０２６において、タッチ感知式ディスプレイコントローラ２０２は、補助アイコン「？」のタッチに関してタッチ感知式ディスプレイ３００を監視する。ユーザが補助アイコン「？」をタッチしていれば、タッチ感知式ディスプレイコントローラ２０２は、ステップ１００７に進み、そうでなければ、ユーザは補助アイコン「？」をタッチしておらず、タッチ感知式ディスプレイコントローラ２０２は、ステップ１０２８に進む。ステップ１０２８では、タッチ感知式ディスプレイコントローラ２０２は、ユーザがタッチ感知式ディスプレイ３００上で入力することなく固定時間（８秒）が経過しているか否かを決定するために、メモリ２１３内の計時プログラムを監視する。タッチ感知式ディスプレイコントローラ２０２内の計時プログラムが経過していれば、最初のユーザのタイムアウトが生じており、タッチ感知式ディスプレイコントローラ２０２は、ステップ１００７に進み、そうでなければ、タッチ感知式ディスプレイコントローラ２０２は、ステップ１０２９に進む。ステップ１００７では、タッチ感知式ディスプレイコントローラ２０２は、注出状態を終了し、飲料分注システム５０についての補助状態に入る。これについては、図２２を参照して本明細書で説明する。完了し、次いで、注出補助状態から戻った後、タッチ感知式ディスプレイコントローラ２０２は、タッチ感知式ディスプレイ３００を継続して監視するためにステップ１０２１に戻る。この時点において、注出補助状態計時プログラムが１度経過し、タッチ感知式ディスプレイコントローラ２０２は、ステップ１０１８で注出状態が新たに開始されるまで、ステップ１０２８からステップ１００７に入らない。
【００６７】
注出状態を実行している間、好ましい実施形態における飲料分注システム５０は、選択した飲料に２つまでの添加物を含める選択肢をユーザに提供する。ステップ１０２９では、タッチ感知式ディスプレイコントローラ２０２は、ユーザが添加物選択要求を行っているか否かを決定するために、タッチ感知式ディスプレイ３００を監視する。ユーザが添加物選択要求を行っていなければ、タッチ感知式ディスプレイコントローラ２０２は、ステップ１０３８に進み、そうでなければ、ユーザは、添加物選択要求を行い、タッチ感知式ディスプレイコントローラ２０２は、ステップ１０３０に進む。ステップ１０３０では、タッチ感知式ディスプレイコントローラ２０２は、ユーザの添加物選択が可能になっているか否かを決定する。上述したように、２つの添加物が選択されると、タッチ感知式ディスプレイコントローラ２０２は、選択されていない添加物を無効化し、選択されていない添加物から添加物追加記号を取り除く。その結果、ステップ１０３０において、タッチ感知式ディスプレイコントローラ２０２は、以前の２つの添加物選択の結果として無効化された、選択されていない添加物をタッチしているか否かを決定する。以前の２つの添加物選択の結果として無効化された、選択されていない添加物をタッチすることによって、タッチ感知式ディスプレイコントローラ２０２は、タッチ感知式ディスプレイ３００を継続して監視するために、ステップ１０２１に戻る。逆に、ユーザが有効化された添加物を選択している場合には、タッチ感知式ディスプレイコントローラ２０２は、ステップ１０３１に進む。
【００６８】
ステップ１０３１では、タッチ感知式ディスプレイコントローラ２０２は、ユーザの添加物選択が現在の要求の消去であるのか、それとも、新たな要求の記憶なのかを決定する。特に、タッチ感知式ディスプレイコントローラ２０２は、ユーザの添加物選択と、任意の保存された添加物選択と、を比較して、要求が現在のものか、それとも、新たなものかを決定する。ユーザが以前に選択された添加物を選択する場合、タッチ感知式ディスプレイコントローラ２０２は、ステップ１０３３に進み、ユーザの添加物選択をメモリ２１３から消去する。ステップ１０３４では、タッチ感知式ディスプレイコントローラ２０２は、選択されていない添加物、および、他の任意の選択されていない添加物を有効化して、添加物追加記号を選択されていない添加物に戻す。ステップ１０３４を実行した後、タッチ感知式ディスプレイコントローラ２０２は、タッチ感知式ディスプレイ３００を継続して監視するために、ステップ１０２１に戻る。
【００６９】
ユーザが新たな添加物を選択する場合、タッチ感知式ディスプレイコントローラ２０２は、ステップ１０３２に戻り、選択された飲料の注出中に使用するために、ユーザの添加物の選択をメモリ２１３内に記憶する。タッチ感知式ディスプレイコントローラ２０２は、図１４を参照して上述したように、タッチ感知式ディスプレイ３００が要求された添加物選択を表示するようにタッチ感知式ディスプレイ３００を制御することによって、ステップ１０３５を実行する。ステップ１０３６において、タッチ感知式ディスプレイコントローラ２０２は、ユーザの添加物選択要求が２つ目の要求であるか否かを決定する。好ましい実施形態では、ユーザは、最大２つの添加物選択を許容されるだけである。ユーザの添加物選択要求が２つ目の要求でなければ、タッチ感知式ディスプレイコントローラ２０２は、２つ目の添加物についてのユーザの要求を含む出力に関してタッチ感知式ディスプレイ３００を継続して監視するために、ステップ１０２１に戻る。ステップ１０３６において、２つ目の添加物要求がなされていると決定した場合、タッチ感知式ディスプレイコントローラ２０２は、ステップ１０３７に進み、選択されていない添加物を無効化する。さらに、タッチ感知式ディスプレイコントローラ２０２は、図１６ａを参照して上述したように、タッチ感知式ディスプレイ３００が添加物選択の選択肢を取り除くようにタッチ感知式ディスプレイ３００を制御する。次いで、タッチ感知式ディスプレイコントローラ２０２は、ユーザの添加物要求の選択肢をもはや含まない出力に関して、タッチ感知式ディスプレイ３００を継続して監視するために、ステップ１０２１に戻る。
【００７０】
注出状態は、注出状態終了要求を行うことによって、注出状態を終了して飲料選択状態に戻る選択肢をユーザに提供する。ステップ１０３８では、タッチ感知式ディスプレイコントローラ２０２は、ユーザが注出状態終了要求を行っているか否かを決定するために、タッチ感知式ディスプレイ３００を監視する。注出状態終了要求は、ユーザがタッチ感知式ディスプレイ３００を「バック」アイコンのところでタッチすることを必要とする。ユーザが注出状態終了要求を行っていなければ、タッチ感知式ディスプレイコントローラ２０２は、ステップ１０４２に進み、そうでなければ、ユーザは注出状態終了要求を行っている。注出状態終了要求によって、タッチ感知式ディスプレイコントローラ２０２は、ステップ１０３９に進み、飲料選択状態中になされたユーザの飲料選択、および、任意の添加物選択をメモリ２１３から消去する。次いで、タッチ感知式ディスプレイコントローラ２０２は、ステップ１０４０に進み、注出状態を終了する。ステップ１０４０において注出状態を終了した後、タッチ感知式ディスプレイコントローラ２０２は、ステップ１００４に進み、図２０を参照して上述したように、飲料選択状態を開始する。
【００７１】
ステップ１０４２において、タッチ感知式ディスプレイコントローラ２０２は、タッチ感知式ディスプレイコントローラ２０２内の全体タイムアウトが生じているか否かを決定する。全体タイムアウトは、メモリ２１３内の飲料選択状態全体計時プログラムのための固定時間の経過時に生じる。好ましい実施形態では、注出状態全体計時プログラムによって設定される固定時間は、１４秒である。典型的には、注出状態全体計時プログラムのための固定時間は、飲料分注システム５０が全体タイムアウトの前に注出補助状態を実行するように、注出補助状態計時プログラムの固定時間よりも長い。タッチ感知式ディスプレイコントローラ２０２は、全体タイムアウトが経過しているか否かを決定するために、メモリ２１３内の注出状態全体計時プログラムを監視する。全体タイムアウトが生じていなければ、タッチ感知式ディスプレイコントローラ２０２は、タッチ感知式ディスプレイ３００を継続して監視するために、ステップ１０２１に戻る。しかしながら、全体タイムアウトが生じていれば、タッチ感知式ディスプレイコントローラ２０２は、ステップ１０４３に戻り、ステップ９００に入る前に注出状態の終了を記録する。ステップ９００では、タッチ感知式ディスプレイコントローラ２０２は、図１９を参照して上述したように、広告状態を開始する。
【００７２】
飲料分注システム５０は、広告状態および飲料選択状態からアクセス可能な飲料選択補助状態、ならびに、注出状態からアクセス可能な注出補助状態をユーザに提供する。飲料選択補助状態は、補助アイコン「？」、または、選択の固定時間をユーザに提供する計時プログラムによって、飲料選択状態からアクセス可能である。同様に、注出補助状態は、補助アイコン「？」、または、選択の固定時間をユーザに提供する計時プログラムによって、注出状態からアクセス可能である。好ましい実施形態では、計時プログラムによって設定される固定時間は、８秒である。
【００７３】
図２２は、飲料分注システム５０が補助状態を実行する際の、タッチ感知式ディスプレイコントローラ２０２と、タッチ感知式ディスプレイ３００と、メモリ２１３内に配置される計時プログラムと、の相互作用を示すフローチャートである。タッチ感知式ディスプレイコントローラ２０２は、ステップ１０４４において開始し、飲料分注システム５０が以前に広告状態にあったか否かを決定する。飲料分注システムが以前に広告状態にあった場合、タッチ感知式ディスプレイコントローラ２０２は、ステップ１０１３に進み、そうでなければ、タッチ感知式ディスプレイコントローラ２０２は、ステップ１０４５に進む。ステップ１０４５では、タッチ感知式ディスプレイコントローラ２０２は、飲料分注システム５０が以前に飲料選択状態にあったか否かを決定する。飲料分注システム５０が以前に飲料選択状態になかった場合、タッチ感知式ディスプレイコントローラ２０２は、ステップ１０４６に進み、そうでなければ、飲料分注システム５０は以前に飲料選択状態にあったということであり、タッチ感知式ディスプレイコントローラ２０２は、ステップ１０１３に進み、飲料選択補助状態を開始する。特に、タッチ感知式ディスプレイコントローラ２０２は、ステップ１０４７に入る前に、図８ａ〜８ｃに示される補助画面８０３〜８０５のような画面を表示するようにタッチ感知式ディスプレイ３００に指示する。
【００７４】
ステップ１０４６では、タッチ感知式ディスプレイコントローラ２０２は、飲料分注システム５０が以前に注出状態にあったか否かを決定する。
飲料分注システム５０が以前に注出状態になければ、タッチ感知式ディスプレイコントローラ２０２は、ステップ１０５０に進み、そうでなければ、飲料分注システム５０は以前に注出状態にあったということであり、タッチ感知式ディスプレイコントローラ２０２は、ステップ１０２７に進み、注出補助状態を開始する。特に、タッチ感知式ディスプレイコントローラ２０２は、ステップ１０４７に入る前に、図９ａ〜９ｃに示される補助画面８０６〜８１０のような画面を表示するようにタッチ感知式ディスプレイ３００に指示する。
【００７５】
タッチ感知式ディスプレイコントローラ２０２が飲料選択補助状態または注出補助状態を開始すると、タッチ感知式ディスプレイコントローラ２０２は、補助状態終了イベントについて監視する。補助状態終了イベントは、タッチ感知式ディスプレイ３００でのさらなる入力、または、メモリ２１３内の補助計時プログラムの経過である。ステップ１０４７では、タッチ感知式ディスプレイコントローラ２０２は、ユーザがタッチ感知式ディスプレイ３００をタッチしているか否かを決定する。ユーザがタッチ感知式ディスプレイ３００をタッチしていれば、タッチ感知式ディスプレイコントローラ２０２は、ステップ１０４９に進み、そうでなければ、タッチ感知式ディスプレイコントローラ２０２は、ステップ１０４８に進む。飲料選択補助状態または注出補助状態の開始時に、タッチ感知式ディスプレイコントローラ２０２は、補助状態タイマー（好ましい実施形態では、１０秒）を開始し、ステップ１０４８において、タッチ感知式ディスプレイコントローラ２０２は、補助状態タイマーの経過について監視する。補助状態タイマーが経過していれば、補助タイムアウトが生じており、タッチ感知式ディスプレイコントローラ２０２は、ステップ１０４９に進み、そうでなければ、タッチ感知式ディスプレイコントローラ２０２は、タッチ感知式ディスプレイ３００および補助状態タイマーを継続して監視するために、ステップ１０４７に戻る。
【００７６】
ステップ１０４９において、タッチ感知式ディスプレイコントローラ２０２は、補助画面の表示を中止することによって現在の補助状態（飲料選択補助状態または注出補助状態）を終了する。次いで、タッチ感知式ディスプレイコントローラ２０２は、以前の状態（すなわち、広告状態、飲料選択状態および注出状態のうちの１つ）に戻るためにステップ１０５０に進む。広告状態に戻ることは、最後に表示された広告状態画面の再表示、および、上述したステップ１０００の実行を必要とする。飲料選択状態に戻ることは、最後に表示された飲料選択状態画面の再表示、および、上述したステップ１００８の実行を伴う。注出状態に戻ることには、最後に表示された注出状態画面の再表示、および、上述したステップ１０２１の実行が含まれる。
【００７７】
タッチ感知式ディスプレイコントローラ２０２は、技術者がメンテナンス状態に入ることを望んでいることを示す技術者の入力に関して、タッチ感知式ディスプレイ３００を連続的に監視する。図２３は、飲料分注システム５０がメンテナンス状態を実行する場合の、タッチ感知式ディスプレイコントローラ２０２とタッチ感知式ディスプレイ３００との相互作用を説明するフローチャートである。タッチ感知式ディスプレイコントローラ２０２は、ステップ１０５１において開始し、技術者がメンテナンス状態に入ることを望んでいることを示す技術者の入力に関して、タッチ感知式ディスプレイ３００を監視する。好ましい実施形態では、メンテナンス状態のトリガーとなるタッチ感知式ディスプレイ３００からの出力は、タッチ感知式ディスプレイ３００の４つの角部のうちの任意の１つをタッチすることである。とはいうものの、当業者は、メンテナンスアイコンなどの代替手段を認識するであろう。したがって、メンテナンス状態要求は、技術者がタッチ感知式ディスプレイ３００をその４つの角部のうちの任意の１つのところでタッチし、それに続いて、タッチ感知式ディスプレイコントローラ２０２がステップ１０５１において４つの角部のうちの１つがタッチされていることを決定することを必要とする。タッチ感知式ディスプレイコントローラ２０２が、メンテナンス状態が要求されていないと決定した場合、タッチ感知式ディスプレイコントローラ２０２は、メンテナンス要求に関してタッチ感知式ディスプレイ３００を継続して監視するために、ステップ１０５１にループバックする。そうでなければ、メンテナンス状態要求がなされているこということであり、タッチ感知式ディスプレイコントローラ２０２は、ステップ１０５２に進み、図１８ｂに示されるように、アクセスコードを表示するためのコマンドをタッチ感知式ディスプレイ３００に出力する。アクセスコード要求を表示した後、タッチ感知式ディスプレイコントローラ２０２は、ステップ１０５３に進み、有効なパスコードが入力されているか否かを決定する。有効なパスコードが入力されていなければ、タッチ感知式ディスプレイコントローラ２０２は、ステップ１０５６に進み、本明細書でさらに説明されるように、ステップ１０５７における以前の状態（すなわち、飲料選択状態または注出状態）に戻る前に、メンテナンス状態を終了する。あるいは、有効なパスコードが入力され、タッチ感知式ディスプレイコントローラ２０２は、ステップ１０５４に進む。ステップ１０５４では、タッチ感知式ディスプレイコントローラ２０２は、メンテナンス状態に入る。そして、タッチ感知式ディスプレイコントローラ２０２は、図１８ａに示されるメンテナンスメインメニュー画面を表示し、それによって技術者がメンテナンスアイコンを選択して上述したようにメンテナンスを実施することができるようにすることをタッチ感知式ディスプレイ３００に指示するコマンドをタッチ感知式ディスプレイ３００に出力する。さらに、タッチ感知式ディスプレイコントローラ２０２は、上述したように、広告状態を無効化する。技術者が飲料分注システム５０のメンテナンスを完了すると、技術者は、タッチ感知式ディスプレイ３００をメンテナンスメインメニュー画面の表示に戻すバックアイコンをタッチすることによって、選択されたメンテナンス画面を終了する。その結果、メンテナンス状態に入ってメンテナンスの実施を容易にした後、タッチ感知式ディスプレイコントローラ２０２は、ステップ１０５５に進み、技術者のメンテナンス状態終了要求の入力に関して、タッチ感知式ディスプレイ３００を監視する。メンテナンス状態終了要求は、上述したように、技術者がメインメニュー中の終了アイコンに触れることからなる。技術者がメンテナンス状態終了要求を入力していなければ、タッチ感知式ディスプレイコントローラ２０２は、そのような要求について継続して監視するために、ステップ１０５５に留まる。そうでなければ、メンテナンス状態終了要求が入力されており、タッチ感知式ディスプレイコントローラ２０２は、ステップ１０５６に進む。
【００７８】
ステップ１０５６において、タッチ感知式ディスプレイコントローラ２０２は、図１８ａ〜１８ｆに示されるメンテナンス画面の表示を中止することによって、メンテナンス状態を終了する。タッチ感知式ディスプレイコントローラ２０２は、さらに、上述したように広告状態を有効化する。次いで、タッチ感知式ディスプレイコントローラ２０２は、以前の状態（すなわち、飲料選択状態または注出状態）に戻るために、ステップ１０５７に進む。飲料選択状態に戻ることは、最後に表示された飲料選択状態画面を再表示することを伴う。注出状態に戻ることには、最後に表示された注出状態画面を再表示することが含まれる。
【００７９】
上述の実施形態を用いて本発明が説明されたが、そのような説明は、単に例示目的であり、多くの代替形態、等価物および様々な程度のバリエーションが本発明の範囲内にあることが当業者には明らかである。したがって、この範囲は、上記の説明によっていかなる点においても限定されるものではなく、次の特許請求の範囲によってのみ定まる。本発明は、以下の形態としても実現可能である。
［形態１］
飲料分注システムのための方法であって、
三次元グラフィック表示の複数のカップを有する飲料選択状態をタッチ感知式ディスプレイ上に表示する工程を備え、
前記カップは、該カップ上に飲料の選択肢の選択の飲料銘柄ラベルを有するとともに、複数の飲料非選択位置と、飲料選択位置と、を通る順序で移動可能であり、
前記方法は、さらに、
前記三次元グラフィック表示の複数のカップのうちの１つのところでの前記タッチ感知式ディスプレイへの接触を登録する工程と、
前記接触を処理して、前記接触が静止的な接触であるか移動する接触であるかを決定する工程と、
移動する接触に応答して、前記複数の飲料非選択位置と、前記飲料選択位置と、の間で前記接触の始点と前記接触の終点とを決定する工程と、
接触されたカップを前記接触の前記始点から前記接触の前記終点まで進め、それによって、前記複数の飲料非選択位置と、前記飲料選択位置と、の間で前記接触されたカップを移動させる工程と、
前記接触が静止的な接触であり、接触されたカップが前記飲料選択位置のところにある場合に、飲料の選択肢の選択として、該接触されたカップを記憶する工程と
を備える方法。
［形態２］
形態１に記載の飲料分注システムのための方法であって、
さらに、前記接触が静止的な接触であり、前記接触されたカップが飲料非選択位置にある場合に、接触されたカップを飲料非選択位置から前記飲料選択位置まで進める工程を備える
方法。
［形態３］
形態１に記載の飲料分注システムのための方法であって、
さらに、前記飲料の選択肢の選択に応答して、前記タッチ感知式ディスプレイ上での前記飲料選択状態の前記表示を中止する工程と、
三次元グラフィック表示の前記接触されたカップを有する注出状態を前記タッチ感知式ディスプレイ上に表示する工程と
を備え、
前記接触されたカップは、該接触されたカップ上に前記飲料の選択肢の選択の前記飲料銘柄ラベルと、注出ボタンのためのグラフィック表示と、を有し、
前記方法は、さらに、
前記注出ボタンのための前記グラフィック表示のところでの前記タッチ感知式ディスプレイとの接触を登録する工程と、
前記注出ボタンのための前記グラフィック表示との前記接触に応答して、前記飲料の選択肢の選択を前記飲料分注システムから供給する工程と
を備える方法。
［形態４］
形態３に記載の飲料分注システムのための方法であって、
前記注出状態は、さらに、少なくとも１つの添加物アイコンを備え、
前記方法は、
前記添加物アイコンのところでの前記タッチ感知式ディスプレイとの接触を登録する工程と、
前記添加物アイコンとの前記接触に応答して、前記三次元グラフィック表示の前記接触されたカップのまわりを回る前記添加物アイコンを前記タッチ感知式ディスプレイ上に表示する工程と、
前記注出ボタンのための前記グラフィック表示との前記接触に応答して、前記飲料の選択肢の選択と添加物とを前記飲料分注システムから供給する工程と
を備える方法。
［形態５］
形態１に記載の飲料分注システムのための方法であって、
さらに、飲料選択肢選択期間の経過に応答して、前記タッチ感知式ディスプレイ上への前記飲料選択状態の前記表示を中止する工程と、
飲料選択補助状態を前記タッチ感知式ディスプレイ上に表示する工程と
を備え、
前記飲料選択補助状態は、三次元グラフィック表示の複数のカップを備え、該カップは、該カップ上に飲料の選択肢の選択の飲料銘柄ラベルを有するとともに、複数の飲料非選択位置と、飲料選択位置と、を通る順序で移動可能であり、
前記飲料選択補助状態は、さらに、三次元グラフィック表示の手を備え、
前記方法は、さらに、
飲料非選択位置に配置された前記三次元グラフィック表示の複数のカップのうちの１つに接触する前記手を前記タッチ感知式ディスプレイ上に表示する工程と、
前記手および前記接触されたカップを前記飲料非選択位置から前記飲料選択位置まで進める工程と
を備える方法。
［形態６］
形態５に記載の飲料分注システムのための方法であって、
さらに、前記手および前記接触されたカップを前記飲料選択位置のところで表示し、それによって、飲料の選択肢の選択を実演する工程を備える
方法。
［形態７］
形態３に記載の飲料分注システムのための方法であって、
注出期間の経過に応答して、前記タッチ感知式ディスプレイ上への前記注出状態の表示を中止する工程と、
注出補助状態を前記タッチ感知式ディスプレイ上に表示する工程と
を備え、
前記注出補助状態は、前記三次元グラフィック表示の前記接触されたカップを備え、該接触されたカップは、該接触されたカップ上に前記飲料の選択肢の選択の前記飲料銘柄ラベルを有し、
前記注出補助状態は、さらに、
注出ボタンのためのグラフィック表示と、
三次元グラフィック表示の手と
を備え、
前記方法は、さらに、前記注出ボタンのための前記グラフィック表示と接触する前記手を前記タッチ感知式ディスプレイ上に表示し、それによって、飲料の選択肢の選択の注出を実演する工程を備える
方法。
［形態８］
形態４に記載の飲料分注システムのための方法であって、
さらに、注出期間の経過に応答して、前記タッチ感知式ディスプレイ上への前記注出状態の前記表示を中止する工程と、
注出補助状態を前記タッチ感知式ディスプレイ上に表示する工程と
を備え、
前記注出補助状態は、
前記三次元グラフィック表示の前記接触されたカップを備え、該接触されたカップは、該接触されたカップ上に前記飲料の選択肢の選択の前記飲料銘柄ラベルを有し、
前記注出補助状態は、さらに、
注出ボタンのためのグラフィック表示と、
少なくとも１つの添加物アイコンと、
三次元グラフィック表示の手と
を備え、
前記方法は、さらに、
前記添加物アイコンと接触する前記手を前記タッチ感知式ディスプレイ上に表示する工程と、
前記三次元グラフィック表示の前記接触されたカップのまわりを回る前記添加物アイコンを前記タッチ感知式ディスプレイ上に表示し、それによって、添加物選択を実演する工程と
を備える方法。
［形態９］
形態１に記載の飲料分注システムのための方法であって、
さらに、ユーザが前記飲料分注システムのところに存在しないことを示す近接センサに応答して、広告状態を前記タッチ感知式ディスプレイ上に表示する工程を備える
方法。
［形態１０］
形態１に記載の飲料分注システムのための方法であって、
さらに、制御システムに電気的に接続されるとともに前記タッチ感知式ディスプレイよりも下に配置されたインタフェースボタンを押して、ユーザが前記タッチ感知式ディスプレイに届くことができない場合に、前記飲料分注システムを操作する工程を備える
方法。
［形態１１］
形態１に記載の飲料分注システムのための方法であって、
さらに、前記タッチ感知式ディスプレイのメンテナンス要求領域のところでの前記タッチ感知式ディスプレイとの接触を登録する工程と、
前記メンテナンス要求領域との前記接触に応答して、メンテナンス状態を前記タッチ感知式ディスプレイ上に表示する工程と
を備える方法。
［形態１２］
飲料分注システムのための方法であって、
飲料選択状態をタッチ感知式ディスプレイ上に表示する工程を備え、
前記飲料選択状態は、複数の飲料非選択位置と、飲料選択位置と、を通る順序で移動可能な複数の飲料選択肢選択アイコンを備え、
前記方法は、さらに、
飲料選択肢選択期間の経過に応答して、前記タッチ感知式ディスプレイ上への前記飲料選択状態の表示を中止する工程と、
飲料選択補助状態を前記タッチ感知式ディスプレイ上に表示する工程と
を備え、
前記飲料選択補助状態は、複数の飲料非選択位置と、飲料選択位置と、を通る順序で移動可能な複数の飲料選択肢選択アイコンと、三次元グラフィック表示の手と、を備え、
前記方法は、さらに、
飲料非選択位置のところに配置された飲料選択肢選択アイコンと接触する前記手を前記タッチ感知式ディスプレイ上に表示する工程と、
前記タッチ感知式ディスプレイ上で、前記手と、前記接触された飲料選択肢選択アイコンと、を前記飲料非選択位置から前記飲料選択位置まで進める工程と
を備える方法。
［形態１３］
形態１２に記載の飲料分注システムのための方法であって、
さらに、前記飲料選択位置のところで、前記手と、前記接触された飲料選択肢選択アイコンと、を前記タッチ感知式ディスプレイ上に表示する工程を備える
方法。
［形態１４］
形態１２に記載の飲料分注システムのための方法であって、
さらに、前記飲料選択肢選択アイコンのうちの１つのところでの前記タッチ感知式ディスプレイとの接触を登録する工程と、
前記接触を処理して、前記接触が静止的な接触であるか移動する接触であるかを決定する工程と、
移動する接触に応答して、前記複数の飲料非選択位置と、前記飲料選択位置と、の間で前記接触の始点と前記接触の終点とを決定する工程と、
前記タッチ感知式ディスプレイ上で、接触された飲料選択肢選択アイコンを前記接触の前記始点から前記接触の前記終点まで進め、それによって、前記複数の飲料非選択位置と、前記飲料選択位置と、の間で前記接触された飲料選択肢選択アイコンを移動させる工程と、
前記接触が静止的な接触であり、接触された飲料選択肢選択アイコンが前記飲料選択位置のところにある場合に、飲料の選択肢の選択として、該接触された飲料選択肢選択アイコンを記憶する工程と
を備える方法。
［形態１５］
形態１３に記載の飲料分注システムのための方法であって、
さらに、前記接触が静止的な接触であり、接触された飲料選択肢選択アイコンが飲料非選択位置にある場合に前記タッチ感知式ディスプレイ上で、前記接触された飲料選択肢選択アイコンを飲料非選択位置から前記飲料選択位置まで進める工程を備える
方法。
［形態１６］
形態１３に記載の飲料分注システムのための方法であって、
さらに、前記飲料の選択肢の選択に応答して、前記タッチ感知式ディスプレイ上での前記飲料選択状態の表示を中止する工程と、
前記接触された飲料選択肢選択アイコンと、注出ボタンのためのグラフィック表示と、を有する注出状態を前記タッチ感知式ディスプレイ上に表示する工程と、
注出期間の経過に応答して、前記タッチ感知式ディスプレイ上での前記注出状態の表示を中止する工程と、
前記接触された飲料選択肢選択アイコンと、注出ボタンのためのグラフィック表示と、三次元グラフィック表示の手と、を有する注出補助状態を前記タッチ感知式ディスプレイ上に表示する工程と、
前記注出ボタンのための前記グラフィック表示に接触する前記手を前記ディスプレイ上に表示し、それによって、飲料の選択肢の選択の注出を実演する工程と
を備える方法。
［形態１７］
形態１６に記載の飲料分注システムのための方法であって、
さらに、前記注出状態および前記注出補助状態の各々は、少なくとも１つの添加物アイコンを備え、
前記方法は、注出期間の経過に応答して、前記タッチ感知式ディスプレイ上での前記注出状態の前記表示を中止する工程と、
前記注出補助状態を前記タッチ感知式ディスプレイ上に表示する工程と、
前記添加物アイコンに接触する前記手を前記タッチ感知式ディスプレイ上に表示する工程と、
前記接触された前記飲料選択肢選択アイコンのまわりを回る前記添加物アイコンを前記タッチ感知式ディスプレイ上に表示し、それによって、添加物の選択を実演する工程と
を備える方法。
［形態１８］
形態１６に記載の飲料分注システムのための方法であって、
さらに、前記注出ボタンの前記グラフィック表示のところでの前記タッチ感知式ディスプレイとの接触を登録する工程と、
前記注出ボタンのための前記グラフィック表示との接触に応答して、前記飲料分注システムから前記飲料の選択肢の選択を供給する工程と
を備える方法。
［形態１９］
形態１７に記載の飲料分注システムのための方法であって、
さらに、前記添加物アイコンのところでの前記タッチ感知式ディスプレイとの接触を登録する工程と、
前記添加物アイコンとの前記接触に応答して、前記接触された飲料選択肢選択アイコンのまわりを回る前記添加物アイコンを前記タッチ感知式ディスプレイ上に表示する工程と、
前記注出ボタンのための前記グラフィック表示との接触に応答して、前記飲料分注システムから前記飲料の選択肢の選択および添加物を供給する工程と
を備える方法。
［形態２０］
飲料分注システムであって、
飲料選択状態を表示するように構成されたタッチ感知式ディスプレイを備え、
前記タッチ感知式ディスプレイは、三次元グラフィック表示の複数のカップを有し、該カップは、該カップ上に飲料の選択肢の選択の飲料銘柄ラベルを有するとともに、複数の飲料非選択位置と、飲料選択位置と、を通る順序で移動可能であり、
前記飲料分注システムは、さらに、前記タッチ感知式ディスプレイに電気的に接続される制御システムを備え、
前記制御システムは、
前記飲料選択状態を表示するために前記タッチ感知式ディスプレイを制御し、
前記三次元グラフィック表示の複数のカップのうちの１つのところでの前記タッチ感知式ディスプレイとの接触を登録し、
前記接触を処理して、前記接触が静止的な接触であるか移動する接触であるかを決定し、
移動する接触に応答して、前記複数の飲料非選択位置と、前記飲料選択位置と、の間で前記接触の始点と前記接触の終点とを決定し、
前記タッチ感知式ディスプレイを制御して、接触されたカップを前記接触の前記始点から前記接触の前記終点まで進め、それによって、前記接触されたカップを前記複数の飲料非選択位置と、前記飲料選択位置と、の間で移動させ、
前記接触が静止的な接触であり、接触されたカップが前記飲料選択位置のところにある場合に、飲料の選択肢の選択として、該接触されたカップを記憶する
飲料分注システム。
［形態２１］
形態２０に記載の飲料分注システムであって、
前記制御システムは、前記接触が静止的な接触であり、接触されたカップが飲料非選択位置のところにある場合に、前記タッチ感知式ディスプレイを制御して、前記接触されたカップを飲料非選択位置から前記飲料選択位置に進める
飲料分注システム。
［形態２２］
形態２０に記載の飲料分注システムであって、
前記制御システムは、
前記タッチ感知式ディスプレイを制御して、前記飲料の選択肢の選択に応答して、前記飲料選択状態の表示を中止し、
前記タッチ感知式ディスプレイを制御して、注出状態を表示し、
前記注出状態は、三次元グラフィック表示の選択されたカップを備え、該選択されたカップは、該選択されたカップ上に飲料の選択肢の選択の飲料銘柄ラベルと、注出ボタンのためのグラフィック表示と、を有し、
前記制御システムは、
前記注出ボタンの前記グラフィック表示のところでの前記タッチ感知式ディスプレイとの接触を登録し、
前記飲料分注システムを制御して、前記注出ボタンのための前記グラフィック表示との前記接触に応答して、前記飲料の選択肢の選択を供給する
飲料分注システム。
［形態２３］
形態２２に記載の飲料分注システムであって、
前記注出状態は、さらに、少なくとも１つの添加物アイコンを備え、
前記制御システムは、
前記添加物アイコンのところでの前記タッチ感知式ディスプレイとの接触を登録し、
前記タッチ感知式ディスプレイを制御して、前記添加物アイコンとの前記接触に応答して、前記三次元グラフィック表示の前記接触されたカップの回る前記添加物アイコンを表示し、
前記タッチ感知式ディスプレイを制御して、前記注出ボタンのための前記グラフィック表示との前記接触に応答して、前記飲料の選択肢の選択および添加物を供給する
飲料分注システム。
［形態２４］
形態２０に記載の飲料分注システムであって、
前記制御システムは、
前記タッチ感知式ディスプレイを制御して、飲料選択肢選択期間の経過に応答して、前記飲料選択状態の表示を中止し、
前記タッチ感知式ディスプレイを制御して、飲料選択補助状態を表示し、
前記飲料選択補助状態は、三次元グラフィック表示の複数のカップを備え、該カップは、該カップ上に飲料の選択肢の選択の飲料銘柄ラベルを有するとともに、複数の飲料非選択位置と、飲料選択位置と、を通る順序で移動可能であり、
前記飲料選択補助状態は、さらに、三次元グラフィック表示の手を備え、
前記制御システムは、さらに、
前記タッチ感知式ディスプレイを制御して、飲料非選択位置のところに配置された前記三次元グラフィック表示の複数のカップのうちの１つと接触する前記手を表示し、
前記タッチ感知式ディスプレイを制御して、前記手および前記接触されたカップを前記飲料非選択位置から前記飲料選択位置まで進める
飲料分注システム。
［形態２５］
形態２４に記載の飲料分注システムであって、
前記制御システムは、前記タッチ感知式ディスプレイを制御して、前記飲料選択位置のところに前記手および前記接触されたカップを表示し、それによって、飲料の選択肢の選択を実演する
飲料分注システム。
［形態２６］
形態２２に記載の飲料分注システムであって、
前記制御システムは、
前記タッチ感知式ディスプレイを制御して、注出期間の経過に応答して、前記注出状態の表示を中止し、
前記タッチ感知式ディスプレイを制御して、注出補助状態を表示し、
前記注出補助状態は、前記三次元グラフィック表示の前記選択されたカップを備え、該選択されたカップは、該選択されたカップ上に前記飲料の選択肢の選択の前記飲料銘柄ラベルを有し、
前記注出補助状態は、さらに、
注出ボタンのためのグラフィック表示と、
三次元グラフィック表示の手と
を備え、
前記制御システムは、前記タッチ感知式ディスプレイを制御して、前記注出ボタンのための前記グラフィック表示と接触する前記手を表示し、それによって、前記飲料の選択肢の選択の注出を実演する
飲料分注システム。
［形態２７］
形態２３に記載の飲料分注システムであって、
前記制御システムは、
前記タッチ感知式ディスプレイを制御して、注出期間の経過に応答して、前記注出状態の表示を中止し、
前記タッチ感知式ディスプレイを制御して、注出補助状態を表示し、
前記注出補助状態は、前記三次元グラフィック表示の前記選択されたカップを備え、該選択されたカップは、該選択されたカップ上に前記飲料の選択肢の選択の前記飲料銘柄ラベルを有し、
前記注出補助状態は、さらに、
注出ボタンのためのグラフィック表示と、
少なくとも１つの添加物アイコンと、
三次元グラフィック表示の手と
を備え、
前記制御システムは、
前記タッチ感知式ディスプレイを制御して、前記添加物アイコンと接触する前記手を表示し、
前記タッチ感知式ディスプレイを制御して、前記三次元グラフィック表示の前記接触されたカップの前記まわりを回る前記添加物アイコンを表示し、それによって、添加物選択を実演する
飲料分注システム。
［形態２８］
形態２０に記載の飲料分注システムであって、
さらに、前記制御システムに電気的に接続される近接センサを備え、
前記制御システムは、
前記タッチ感知式ディスプレイを制御して、ユーザが前記飲料分注システムのところに存在しないことを示す前記近接センサに応答して、広告状態を表示する
飲料分注システム。
［形態２９］
形態２０に記載の飲料分注システムであって、
さらに、前記制御システムに電気的に接続されるとともに前記タッチ感知式ディスプレイよりも下に配置され、前記タッチ感知式ディスプレイに届くことができないユーザが前記飲料分注システムを操作することができる複数のインタフェースボタンを備える
飲料分注システム。
［形態３０］
形態２０に記載の飲料分注システムであって、
前記制御システムは、
前記タッチ感知式ディスプレイのメンテナンス要求領域のところでの前記タッチ感知式ディスプレイとの接触を登録し、
前記タッチ感知式ディスプレイを制御して、前記メンテナンス要求領域との前記接触に応答して、メンテナンス状態を表示する
飲料分注システム。
［形態３１］
飲料分注システムであって、
飲料選択状態と飲料選択補助状態とを表示するように構成されたタッチ感知式ディスプレイを備え、
前記飲料選択状態は、複数の飲料非選択位置と、飲料選択位置と、を通る順序で移動可能な複数の飲料選択肢選択アイコンを備え、
前記飲料選択補助状態は、複数の飲料非選択位置と、飲料選択位置と、を通る順序で移動可能な複数の飲料選択肢選択アイコンと、三次元グラフィック表示の手と、を備え、
前記飲料分注システムは、さらに、前記タッチ感知式ディスプレイと電気的に接続される制御システムを備え、
前記制御システムは、
前記タッチ感知式ディスプレイを制御して、前記飲料選択状態を表示し、
前記タッチ感知式ディスプレイを制御して、飲料選択肢選択期間の経過に応答して、前記飲料選択状態の表示を中止し、
前記タッチ感知式ディスプレイを制御して、前記飲料選択補助状態を表示し、
前記タッチ感知式ディスプレイは、飲料非選択位置のところに配置された飲料選択肢選択アイコンと接触する前記手を表示し、
前記制御システムは、前記タッチ感知式ディスプレイを制御して、前記手および前記接触された飲料選択肢選択アイコンを前記飲料非選択位置から前記飲料選択位置に進める
飲料分注システム。
［形態３２］
形態３１に記載の飲料分注システムであって、
前記制御システムは、前記タッチ感知式ディスプレイを制御して、前記手および前記接触された飲料選択肢選択アイコンを前記飲料選択位置のところに表示し、それによって、飲料の選択肢の選択を実演する
飲料分注システム。
［形態３３］
形態３１に記載の飲料分注システムであって、
前記制御システムは、
前記飲料選択肢選択アイコンのうちの１つのところでの前記タッチ感知式ディスプレイとの接触を登録し、
前記接触を処理して、前記接触が静止的な接触であるか移動する接触であるかを決定し、
移動する接触に応答して、前記複数の飲料非選択位置と、前記飲料選択位置と、の間で前記接触の始点と前記接触の終点とを決定し、
前記タッチ感知式ディスプレイ上で、接触された飲料選択肢選択アイコンを前記接触の前記始点から前記接触の前記終点まで進め、それによって、前記複数の飲料非選択位置と、前記飲料選択位置と、の間で前記接触された飲料選択肢選択アイコンを移動させ、
前記接触が静止的な接触であり、接触された飲料選択肢選択アイコンが前記飲料選択位置のところにある場合に、飲料の選択肢の選択として、該接触された飲料選択肢選択アイコンを記憶する
飲料分注システム。
［形態３４］
形態３３に記載の飲料分注システムであって、
前記制御システムは、前記タッチ感知式ディスプレイを制御して、前記接触が静止的な接触であり、接触された飲料選択肢選択アイコンが飲料非選択位置にある場合に、前記接触された飲料選択肢選択アイコンを飲料非選択位置から前記飲料選択位置まで進める
飲料分注システム。
［形態３５］
形態３３に記載の飲料分注システムであって、
前記タッチ感知式ディスプレイは、注出状態と注出補助状態とを表示するように構成され、
前記注出状態は、前記接触された飲料選択肢選択アイコンと、注出ボタンのためのグラフィック表示と、を備え、
前記注出補助状態は、前記接触された飲料選択肢選択アイコンと、注出ボタンのためのグラフィック表示と、三次元グラフィック表示の手と、を備え、
前記制御システムは、
前記タッチ感知式ディスプレイを制御して、前記飲料の選択肢の選択に応答して、前記飲料選択状態の表示を中止し、
前記タッチ感知式ディスプレイを制御して、前記注出状態を表示し、
前記タッチ感知式ディスプレイを制御して、注出期間の経過に応答して、前記注出状態の表示を中止し、
前記タッチ感知式ディスプレイを制御して、前記注出補助状態を表示し、
前記タッチ感知式ディスプレイを制御して、前記注出ボタンのための前記グラフィック表示と接触する前記手を表示し、それによって、飲料の選択肢の選択の注出を実演する
飲料分注システム。
［形態３６］
形態３５に記載の飲料分注システムであって、
前記注出状態および前記注出補助状態の各々は、少なくとも１つの添加物アイコンを備え、
前記制御システムは、
前記タッチ感知式ディスプレイを制御して、注出期間の経過に応答して、前記注出状態の前記表示を中止し、
前記タッチ感知式ディスプレイを制御して、前記注出補助状態を表示し、
前記タッチ感知式ディスプレイを制御して、前記添加物アイコンに接触する前記手を表示し、
前記タッチ感知式ディスプレイを制御して、前記接触された飲料選択肢選択アイコンのまわりを回る前記添加物アイコンを表示し、それによって、添加物の選択を実演する
飲料分注システム。
［形態３７］
形態３５に記載の飲料分注システムであって、
前記制御システムは、
前記注出ボタンの前記グラフィック表示のところでの前記タッチ感知式ディスプレイとの接触を登録し、
前記タッチ感知式ディスプレイを制御して、前記注出ボタンのための前記グラフィック表示との接触に応答して、前記飲料の選択肢の選択を供給する
飲料分注システム。
［形態３８］
形態３６に記載の飲料分注システムであって、
前記制御システムは、
前記添加物アイコンのところでの前記タッチ感知式ディスプレイとの接触を登録し、
前記タッチ感知式ディスプレイを制御して、前記添加物アイコンとの前記接触に応答して、前記接触された飲料選択肢選択アイコンのまわりを回る前記添加物アイコンを表示し、
前記タッチ感知式ディスプレイを制御して、前記注出ボタンのための前記グラフィック表示との接触に応答して、前記飲料の選択肢の選択および添加物を供給する
飲料分注システム。
［形態３９］
飲料分注システムであって、
飲料ディスペンサであって、該飲料ディスペンサから分注される飲料の選択肢を供給するように構成された飲料ディスペンサと、
近接センサと、
広告状態、飲料選択状態および注出状態のうちの１つを表示するように構成されたタッチ感知式ディスプレイと、
前記飲料ディスペンサ、前記近接センサおよび前記タッチ感知式ディスプレイに電気的に接続される制御システムと
を備え、
前記制御システムは、
ユーザが前記飲料分注システムのところに存在しないことを示す前記近接センサに応答して、前記タッチ感知式ディスプレイに前記広告状態を表示させ、
ユーザが前記飲料分注システムのところに存在することを示す前記近接センサに応答して、前記タッチ感知式ディスプレイに前記飲料選択状態を表示させ、
前記飲料選択状態の前記表示中に前記タッチ感知式ディスプレイを介してなされた飲料の選択肢の選択に応答して、前記タッチ感知式ディスプレイに前記注出状態を表示させ、
前記注出状態の前記表示中に前記タッチ感知式ディスプレイを介してなされた注出要求に応答して、前記飲料ディスペンサに前記飲料の選択肢を伝えさせる
飲料分注システム。
［形態４０］
形態３９に記載の飲料分注システムであって、
前記制御システムは、前記飲料選択状態の前記表示中にユーザが飲料の選択を行う前に全体飲料選択期間が経過した場合に、前記タッチ感知式ディスプレイに前記広告状態を表示させる
飲料分注システム。
［形態４１］
形態３９に記載の飲料分注システムであって、
前記制御システムは、前記注出状態の前記表示中にユーザが飲料の選択を注出する前に全体注出期間が経過した場合に、前記タッチ感知式ディスプレイに前記広告状態を表示させる
飲料分注システム。
［形態４２］
形態３９に記載の飲料分注システムであって、
さらに、前記制御システムに電気的に接続されるとともに前記タッチ感知式ディスプレイよりも下に配置され、前記タッチ感知式ディスプレイに届くことができないユーザが前記飲料分注システムを操作することができる複数のインタフェースボタンを備える
飲料分注システム。
［形態４３］
形態３９に記載の飲料分注システムであって、
前記飲料選択状態は、前記タッチ感知式ディスプレイ上に表示される三次元グラフィック表示の複数のカップを備え、
前記三次元グラフィック表示の複数のカップは、
複数の飲料非選択位置と、飲料選択位置と、を通る順序で移動可能であり、
前記飲料分注システムが分注するように構成された前記飲料の選択肢の総数と等しい数を有する
飲料分注システム。
［形態４４］
形態４３に記載の飲料分注システムであって、
前記制御システムは、該制御システムに記憶される飲料情報ファイルであって、前記飲料分注システムから分注するのに利用可能な各々の飲料の選択肢についての飲料情報ファイルを備える
飲料分注システム。
［形態４５］
形態４４に記載の飲料分注システムであって、
前記飲料供給情報は、前記飲料の選択肢の水とシロップとの比率と、前記飲料の選択肢の水のタイプと、前記飲料の選択肢の栄養情報と、前記飲料の選択肢の供給中に供給に利用可能な添加物と、を備える
飲料分注システム。
［形態４６］
形態４４に記載の飲料分注システムであって、
前記制御システムは、
前記タッチ感知式ディスプレイのメンテナンス要求領域のところでの前記タッチ感知式ディスプレイとの接触を登録し、
前記メンテナンス要求領域との前記接触に応答して、前記タッチ感知式ディスプレイにメンテナンス状態を表示させる
飲料分注システム。
［形態４７］
形態４６に記載の飲料分注システムであって、
前記制御システムは、前記メンテナンス状態から、
ａ．前記飲料分注システムからの分注のための飲料の選択肢を受け取り、
ｂ．前記飲料の選択肢に関連付けられた飲料情報ファイルから、前記飲料の選択肢および飲料供給情報に関連付けられた飲料銘柄ラベルを読み出し、
ｃ．前記飲料の選択肢に関連付けられた前記飲料銘柄ラベルを有する前記カップのうちの１つを表示し、
ｄ．前記飲料の選択肢の源に接続された前記飲料分注システムの分注バルブを割り当てて、前記タッチ感知式ディスプレイを介して受け取られた前記飲料の選択肢を分注するためのユーザ要求に応答して、前記飲料供給情報にしたがって前記飲料の選択肢を分注し、
ｅ．前記飲料分注システムから分注するための飲料の選択の全数が飲料の選択肢を割り当てられるまで、前記ａから前記ｄまでを繰り返す
飲料分注システム。
［形態４８］
形態４７に記載の飲料分注システムであって、
前記制御システムは、前記メンテナンス状態から、
ｆ．接続されていない前記飲料分注システムの分注バルブから分注するための新たな飲料の選択を現在割り当てられている飲料の選択肢の源から受け取り、
ｇ．前記新たな飲料の選択肢に関連付けられた飲料情報ファイルから、前記新たな飲料の選択肢および飲料供給情報に関連付けられた飲料銘柄ラベルを読み出し、
ｈ．前記現在割り当てられている飲料の選択肢に関連付けられた前記飲料銘柄ラベルを表示する前記カップ上に、前記新たな飲料の選択肢に関連付けられた前記飲料銘柄ラベルを表示し、
ｉ．前記飲料の選択肢の前記源に接続された前記飲料分注システムの前記分注バルブを割り当てて、前記タッチ感知式ディスプレイを介して受け取られた前記飲料の選択肢を分注するためのユーザ要求に応答して、前記飲料供給情報にしたがって前記新たな飲料の選択肢を分注する
飲料分注システム。
［形態４９］
形態４６に記載の飲料分注システムであって、
前記制御システムは、前記メンテナンス状態から、メンテナンスチュートリアルビデオ要求に応答して、前記タッチ感知式ディスプレイ上にメンテナンスチュートリアルビデオを再生する
飲料分注システム。
［形態５０］
形態３９に記載の飲料分注システムであって、
前記制御システムは、マーケティングおよびサービスの分析に使用するための飲料分注システムイベントデータの記録を取る
飲料分注システム。
［形態５１］
形態３９に記載の飲料分注システムであって、
前記制御システムは、マーケティングおよびサービスの分析に使用するために、前記近接センサを介して取得された飲料分注システム消費者検出データの記録を取る
飲料分注システム。
［形態５２］
飲料分注システムを設定する方法であって、
ａ．前記飲料分注システムが分注するように構成された飲料の選択肢の総数を決定する工程と、
ｂ．複数の飲料非選択位置と、飲料選択位置と、を通る順序で移動可能な三次元グラフィック表示の複数のカップであって、飲料の選択肢の前記総数と数が等しい三次元グラフィック表示の複数のカップを前記飲料分注システムのタッチ感知式ディスプレイ上に表示する工程と、
ｃ．前記飲料分注システムの制御システムから、前記飲料分注システムから分注するのに利用可能な飲料の全ての選択肢に関する飲料情報ファイルにアクセスする工程と、
ｄ．前記飲料分注システムから分注するための飲料の選択肢を前記飲料情報ファイルから選択する工程と
を備え、
前記制御システムは、
前記飲料の選択肢に関連付けられた飲料情報ファイルから、前記飲料の選択肢および飲料供給情報に関連付けられた飲料銘柄ラベルを読み出し、
前記燃料の選択肢に関連付けられた前記飲料銘柄ラベルを有する前記カップのうちの１つを表示し、
前記方法は、さらに、
ｅ．前記飲料の選択肢の源を前記飲料分注システムの分注バルブに接続する工程を備え、
前記制御システムは、前記タッチ感知式ディスプレイを介して受け取られた前記飲料の選択肢を分注するためのユーザ要求に応答して、前記分注バルブを制御して、前記飲料供給情報にしたがって前記飲料の選択肢を分注し、
前記方法は、さらに、
ｆ．前記飲料分注システムから分注するための飲料の選択の全数が飲料の選択肢を割り当てられるまで、前記ｄおよび前記ｅを繰り返す工程を備える
方法。
［形態５３］
形態５２に記載の飲料分注システムを設定する方法であって、
さらに、
ｇ．削除して新たな飲料の選択肢と置き換えるために、現在割り当てられている飲料の選択肢を選択する工程と、
ｈ．前記現在割り当てられている飲料の選択肢の源を前記飲料分注システムの分注バルブから接続解除する工程と、
ｉ．前記飲料分注システムの前記分注バルブから分注するための新たな飲料の選択肢を前記飲料情報ファイルから選択する工程と
を備え、
前記制御システムは、
前記飲料の選択肢に関連付けられた飲料情報ファイルから、前記飲料の選択肢および飲料供給情報に関連付けられた飲料銘柄ラベルを読み出し、
前記現在割り当てられている飲料の選択肢に関連付けられた前記飲料銘柄ラベルを表示する前記カップ上に、前記新たな飲料の選択肢に関連付けられた前記飲料銘柄ラベルを表示し、
前記方法は、さらに、
ｊ．前記新たな飲料の選択肢の源を前記飲料分注システムの前記分注バルブに接続する工程を備え、
前記制御システムは、前記タッチ感知式ディスプレイを介して受け取られた前記新たな飲料の選択肢を分注するためのユーザ要求に応答して、前記分注バルブを制御して、前記飲料供給情報にしたがって前記新たな飲料の選択肢を分注する
方法。
［形態５４］
形態５２に記載の飲料分注システムを設定する方法であって、
前記飲料供給情報は、前記飲料の選択肢の水とシロップとの比率と、前記飲料の選択肢の水のタイプと、前記飲料の選択肢の栄養情報と、前記飲料の選択肢の供給中に供給に利用可能な添加物と、を備える
方法。
【符号の説明】
【００８０】
５０…飲料分注システム
１００…飲料ディスペンサ
１１０…ハウジング
１１１…氷チャンバ
１１５…分注バルブ
１１６…ノズル
１１７…カバー
１１８…ドリップトレイ
１１９…氷ディスペンサ
１２１…相互インタフェースボタン
１４０…ポンプ
１５０…冷却システム
２００…制御システム
２０１…飲料ディスペンサコントローラ
２０２…タッチ感知式ディスプレイコントローラ
２１０，２１１…マイクロコントローラ
２１２，２１３…メモリ
３００…タッチ感知式ディスプレイ
４００…近接センサ
５０１…飲料選択状態
５０４…メンテナンス状態
６００…サウンドシステム
８００…広告画面
８０１…飲料選択画面
８０２…分注画面
８０２…注出画面
８０３…飲料選択補助画面
８０６…補助画面
８０６…注出状態補助画面
９００…電力システム
【図１】
0006282668.tif 000002
【図２】
0006282668.tif 000003
【図３】
0006282668.tif 000004
【図４】
0006282668.tif 000005
【図５】
0006282668.tif 000006
【図６】
0006282668.tif 000007
【図７】
0006282668.tif 000008
【図８ａ】
0006282668.tif 000009
【図８ｂ】
0006282668.tif 000010
【図８ｃ】
0006282668.tif 000011
【図９ａ】
0006282668.tif 000012
【図９ｂ】
0006282668.tif 000013
【図９ｃ】
0006282668.tif 000014
【図９ｄ】
0006282668.tif 000015
【図９ｅ】
0006282668.tif 000016
【図１０ａ】
0006282668.tif 000017
【図１０ｂ】
0006282668.tif 000018
【図１０ｃ】
0006282668.tif 000019
【図１１ａ】
0006282668.tif 000020
【図１１ｂ】
0006282668.tif 000021
【図１１ｃ】
0006282668.tif 000022
【図１２ａ】
0006282668.tif 000023
【図１２ｂ】
0006282668.tif 000024
【図１３】
0006282668.tif 000025
【図１４】
0006282668.tif 000026
【図１５】
0006282668.tif 000027
【図１６ａ】
0006282668.tif 000028
【図１６ｂ】
0006282668.tif 000029
【図１７】
0006282668.tif 000030
【図１８ａ】
0006282668.tif 000031
【図１８ｂ】
0006282668.tif 000032
【図１８ｃ】
0006282668.tif 000033
【図１８ｄ】
0006282668.tif 000034
【図１８ｅ】
0006282668.tif 000035
【図１８ｆ】
0006282668.tif 000036
【図１９】
0006282668.tif 000037
【図２０】
0006282668.tif 000038
【図２１】
0006282668.tif 000039
【図２２】
0006282668.tif 000040
【図２３】
0006282668.tif 000041